(57)【要約】【課題】複数ユーザによって利用されるようなビデオ記録再生装置においては、各ユーザがそれぞれ録画記録したコンテンツに対し、他ユーザからの削除や移動、編集及び視聴といったような、相互に悪影響をもたらすことがある。【解決手段】コンテンツ管理処理部２０３は、各ユーザに対して管理リスト情報を割り当て、発行された固有のユーザＩＤとコンテンツ識別情報とを記録し、それを外部メモリ（ＳＤメモリカード等のリムーバブルメディア）１１５を用いて記録保持させることによって、ビデオ記録再生装置１００に対する個人認証を簡易化し、各ユーザが管理するコンテンツを他ユーザのよる削除や移動、編集といった操作から保護したり、他ユーザからのプライバシー侵害等から守る。【選択図】図２
2008306531.tif 000002
【特許請求の範囲】
【請求項１】
映像や音声のコンテンツを記録媒体上に記録し再生を行うコンテンツ記録再生装置であって、
コンテンツを記録保存、及び編集、削除、再生を行うユーザを認識し識別するための登録ユーザＩＤの発行を行うユーザＩＤ認証登録処理手段と、
前記ユーザＩＤ認証登録処理手段により登録された各ユーザごとに、前記ユーザが記録保存し管理所有権を持つ各コンテンツの識別をする管理リスト情報を生成記録する管理リスト情報生成処理手段と、
前記管理リスト情報生成処理手段で生成された管理リスト情報を、リムーバブルメディアへ記録保存しかつ当該リムーバブルメディアからの読み出しを行う管理リスト情報読出し書込み処理手段と、
前記管理リスト情報に基づいて、前記ユーザＩＤ認証登録処理手段で登録された各ユーザごとに管理所有権を持つそれぞれのコンテンツの選択抽出と管理を行い、また各ユーザごとのコンテンツの管理内容及び履歴を前記管理リスト情報に記録するコンテンツ管理処理手段とを備えたことを特徴とするコンテンツ記録再生装置。
【請求項２】
請求項１記載のコンテンツ記録再生装置において、
前記コンテンツ管理処理手段は、前記管理リスト情報読出し書込み処理手段により読み出された前記管理リスト情報が、前記ユーザＩＤ認証登録処理手段により登録されたユーザＩＤを持つかどうかを判定し、前記ユーザＩＤ認証登録処理手段により登録されたユーザＩＤを持つのであれば、前記コンテンツ記録再生装置に記録保存されているコンテンツの中から、前記ユーザＩＤを持つ前記管理リスト情報に基づいてコンテンツを選択抽出し、前記ユーザＩＤを持つユーザに対して前記コンテンツの操作の許可を行うことを特徴とするコンテンツ記録再生装置。
【請求項３】
請求項１記載のコンテンツ記録再生装置において、
前記管理リスト情報は、前記登録ユーザＩＤと、当該登録ユーザが管理所有権を持つ各コンテンツを識別するコンテンツ識別情報と、当該コンテンツに対する操作履歴情報とを含むことを特徴とするコンテンツ記録再生装置。
【請求項４】
請求項３記載のコンテンツ記録再生装置において、
前記コンテンツ識別情報は、前記コンテンツ固有の情報を含むことを特徴とするコンテンツ記録再生装置。
【請求項５】
請求項４記載のコンテンツ記録再生装置において、
前記コンテンツ識別情報は、他のユーザへのコンテンツの開示及び視聴を許可又は不許可とすることを示す視聴制限情報を更に含むことを特徴とするコンテンツ記録再生装置。
【請求項６】
請求項５記載のコンテンツ記録再生装置において、
前記コンテンツ識別情報は、他のユーザからのコンテンツの操作を制限し保護するための操作制限情報を更に含むことを特徴とするコンテンツ記録再生装置。
【請求項７】
請求項３記載のコンテンツ記録再生装置において、
前記操作履歴情報は、当該コンテンツが録画予約、記録、編集、削除、又は移動に係る、ユーザによる操作が行われたことに関する情報を含むことを特徴とするコンテンツ記録再生装置。
【請求項８】
請求項５記載のコンテンツ記録再生装置において、
前記コンテンツ管理処理手段は、前記視聴制限情報に指示記録される他ユーザへのコンテンツの開示及び視聴許可状態に従い、操作ユーザに対して、前記管理リスト情報に記録されている各コンテンツの中から開示び視聴を許されたコンテンツのみの一覧表示制限と視聴許可を行うことを特徴とするコンテンツ記録再生装置。
【請求項９】
請求項８記載のコンテンツ記録再生装置において、
前記コンテンツ管理処理手段は、暗証番号を記録管理する暗証番号管理手段を備え、
入力された暗証番号が、前記暗証番号管理手段に管理される暗証番号と一致した場合にのみ、操作ユーザに対して前記管理リスト情報に記録されている全てのコンテンツの内容開示及び視聴の許可を行うことを特徴とするコンテンツ記録再生装置。
【請求項１０】
請求項９記載のコンテンツ記録再生装置において、
前記コンテンツ管理処理手段は、入力された暗証番号が、前記暗証番号管理手段に管理される暗証番号と一致した場合にのみ、各コンテンツごとの前記視聴制限情報の設定及び変更を行うことを特徴とするコンテンツ記録再生装置。
【請求項１１】
請求項１記載のコンテンツ記録再生装置において、
前記管理リスト情報読出し書込み処理手段に、前記管理リスト情報が記録されていないリムーバブルメディアの挿入がされた場合には、前記ユーザＩＤ認証登録処理手段が新規ユーザＩＤの発行登録を行い、リムーバブルメディアの挿入がない状態で録画予約及びコンテンツ記録が行われた際には、前記ユーザＩＤ認証登録処理手段がゲストＩＤを発行し、
前記管理リスト情報生成処理手段は、前記ユーザＩＤ認証登録処理手段が発行した前記新規ユーザＩＤ又は前記ゲストＩＤを持つ管理リスト情報を生成記録することを特徴とするコンテンツ記録再生装置。
【請求項１２】
請求項１１記載のコンテンツ記録再生装置において、
前記ゲストＩＤを持つ管理リスト情報は、全てのユーザが操作可能なユーザＩＤとして前記コンテンツ管理処理手段から扱われることを特徴とするコンテンツ記録再生装置。
【請求項１３】
請求項１２記載のコンテンツ記録再生装置において、
前記コンテンツ管理処理手段は、前記ゲストＩＤを持つ管理リスト情報を各登録ユーザに対して開示し、当該管理リスト情報で管理される各コンテンツに対しての管理権の付与及び排除を各登録ユーザごとに実行することを特徴とするコンテンツ記録再生装置。
【請求項１４】
請求項３記載のコンテンツ記録再生装置において、
前記コンテンツ管理処理手段は、複数ユーザから共通したコンテンツの録画、記録の要求が行われた場合には、当該複数ユーザＩＤが持つ各管理リスト情報のそれぞれに対して、共通するコンテンツ識別情報を記録することを特徴とするコンテンツ記録再生装置。
【請求項１５】
請求項６記載のコンテンツ記録再生装置において、
前記コンテンツ管理処理手段は、各ユーザＩＤが持つ各管理リスト情報の各コンテンツを対象とする操作制限情報の状態に従って、コンテンツの保護を行うことを特徴とするコンテンツ記録再生装置。
【請求項１６】
映像や音声のコンテンツを記録媒体上に記録し再生を行うコンテンツ記録再生方法であって、
コンテンツを記録保存、及び編集、削除、再生を行うユーザを認識し識別するためのユーザＩＤの発行を行うユーザ登録ステップと、
前記ユーザ登録ステップにより登録された各ユーザごとに、当該ユーザが記録保存し管理所有権を持つ各コンテンツの識別をするための管理リスト情報を生成記録する管理リスト情報生成ステップと、
前記管理リスト情報生成ステップで生成された管理リスト情報を、リムーバブルメディアへ記録保存しかつ当該リムーバブルメディアからの読み出しを行う管理リスト情報入出力ステップと、
前記管理リスト情報に基づいて、前記ユーザ登録ステップで登録された各ユーザごとに管理所有権を持つそれぞれのコンテンツの選択抽出と管理を行い、また各ユーザごとのコンテンツの管理内容及び履歴を前記管理リスト情報に記録するコンテンツ管理ステップとを備えたことを特徴とするコンテンツ記録再生方法。
【請求項１７】
映像や音声のコンテンツを記録媒体上に記録し再生を行うコンテンツ記録再生プログラムであって、
コンテンツを記録保存、及び編集、削除、再生を行うユーザを認識し識別するためのユーザＩＤの発行を行うユーザ登録機能と、
前記ユーザ登録機能により登録された各ユーザごとに、当該ユーザが記録保存し管理所有権を持つ各コンテンツの識別をするための管理リスト情報を生成記録する管理リスト情報生成機能と、
前記管理リスト情報生成機能で生成された管理リスト情報を、リムーバブルメディアへ記録保存しかつ当該リムーバブルメディアからの読み出しを行う管理リスト情報入出力機能と、
前記管理リスト情報に基づいて、前記ユーザ登録機能で登録された各ユーザごとに管理所有権を持つそれぞれのコンテンツの選択抽出と管理を行い、また各ユーザごとのコンテンツの管理内容及び履歴を前記管理リスト情報に記録するコンテンツ管理機能とをコンピュータに実行させることを特徴とするコンテンツ記録再生プログラム。
【発明の詳細な説明】
【技術分野】
【０００１】
本発明は、例えばデジタルＴＶ放送の番組を大容量記録媒体に録画番組として記録するコンテンツ記録再生装置に関し、特に複数ユーザによって共同利用されるコンテンツ記録再生装置に関するものである。
【背景技術】
【０００２】
近年、地上デジタル放送の普及に伴い、それらの放送番組等の映像や音声（以下、コンテンツという。）を記録する大容量記録媒体を有したビデオ記録再生装置も広く普及してきた。また将来において更に大容量の記録媒体を有するホームサーバ等の登場も見込まれる。このような大容量記録媒体を有したビデオ記録再生装置においては、複数のユーザが複数のコンテンツを記録したり、検索閲覧、視聴したり、あるいは消去したりして利用することが頻繁に行われる。
【０００３】
更に、Ｇコードと言われる録画予約コードや、ＥＰＧ（電子番組表）等を利用して、リモコン等からビデオ記録再生装置に対して、録画したいコンテンツを簡単に指定することができる。このため、あるコンテンツに対して関心を持つユーザが重複する事態が発生し、当該コンテンツに対しての消去や編集といった操作の、重複ユーザ間での調停管理が必要となる。
【０００４】
また、大容量記録媒体を有することでコンテンツを撮り貯めしやすくなり、他ユーザのコンテンツも多数混在することから、所望のコンテンツを検索するのが困難になる。更に、既に録画された複数のコンテンツの一覧表の表示から所望のコンテンツを選択することで当該所望のコンテンツを検索して視聴するような場合には、記録されたコンテンツのタイトル、記録日時等が一覧表に表示されるために、第三者に容易に知られ、プライバシーの保護がなされない。
【０００５】
従来のビデオ記録再生装置では、複数のユーザに利用される場合、暗証番号、パスワード等の認証用コードを各ユーザに入力させて、それぞれの認証用コードに対して、認証用コード入力時には、録画済みコンテンツリスト及び録画予約リストを生成するが、認証用コード非入力時には、これらのリストの閲覧が不可とすることによって、各ユーザが録画したコンテンツを他ユーザによる不本意な操作から保護すると同時に、各ユーザのプライバシーを保護するものがある（例えば、特許文献１及び特許文献２参照）。
【特許文献１】特開２００２−２３２８２０号公報
【特許文献２】特開２００５−２０３５６号公報
【発明の開示】
【発明が解決しようとする課題】
【０００６】
しかしながら、上記従来技術では、ビデオ記録再生装置に対して各ユーザが認証用コードを入力した上で操作する必要があり、非常に煩わしい。また、認証用コードを失ったり忘れたり、盗まれる等のリスクもある。その場合、当該ユーザは所望のコンテンツの視聴やコンテンツ録画予約等ができなくなったり、また第三者による閲覧や操作等が行われる可能性があるという課題があった。
【０００７】
本発明は、上記従来の課題を解決するもので、総合的、合理的なコンテンツの管理を可能としたコンテンツ記録再生装置を提供することを目的とする。
【課題を解決するための手段】
【０００８】
前記の課題を解決するために、本発明は、映像や音声のコンテンツを記録媒体上に記録し再生を行うコンテンツ記録再生装置において、各ユーザに対して管理リスト情報を割り当て、発行された固有のユーザＩＤとコンテンツ識別情報とを記録し、それをＳＤメモリカード等のリムーバブルメディアに記録保持させることとしたものである。各ユーザがリムーバブルメディアを厳重に管理することにより、特に認証用コードを入力することなく、記録コンテンツの削除が他のユーザによりなされるという問題等が無くなり、他ユーザからのプライバシー侵害等からも守られる。
【０００９】
具体的に説明すると、本発明に係るコンテンツ記録再生装置は、コンテンツを記録保存、及び編集、削除、再生を行うユーザを認識し識別するためのユーザＩＤの発行を行うユーザＩＤ認証登録処理手段と、当該ユーザＩＤ認証登録処理手段により登録された各ユーザごとに、当該ユーザが記録保存し管理所有権を持つ各コンテンツの識別をするための管理リスト情報を生成記録する管理リスト情報生成処理手段と、当該管理リスト情報生成処理手段で生成された管理リスト情報を、リムーバブルメディアへ記録保存しかつ当該リムーバブルメディアからの読み出しを行う管理リスト情報読出し書込み処理手段と、前記管理リスト情報に基づいて、前記ユーザＩＤ認証登録処理手段で登録された各ユーザごとに管理所有権を持つそれぞれのコンテンツの選択抽出と管理を行い、また各ユーザごとのコンテンツの管理内容及び履歴を前記管理リスト情報に記録するコンテンツ管理処理手段とを備えたことを特徴とする。
【００１０】
前記リムーバブルメディアの貸し出し等を想定した場合には、暗証番号を記録管理する暗証番号管理手段を備えることとし、入力された暗証番号が、前記暗証番号管理手段に管理される暗証番号と一致した場合にのみ、操作ユーザに対して前記管理リスト情報に記録されている全てのコンテンツの内容開示及び視聴の許可を行うこととする。
【発明の効果】
【００１１】
本発明によれば、特にコンテンツの暗号化や、暗証番号等を用いてのログイン等の手続きを行うことなく、他のユーザによって記録済コンテンツが再生、消去、編集等がなされるという問題が無くなり、他ユーザによるプライバシー侵害等からも守られる。また、複数のユーザが重複して関心を持つコンテンツに対しての消去や保存の管理が効率的に実現可能となる。
【００１２】
また、暗証番号を設定すれば、他ユーザへの視聴再生制限や、削除等の操作制限等が容易に設定でき、管理リスト情報が記録されたリムーバブルメディアを第三者へ貸し出す等して、自身が所有するコンテンツの視聴を促すような場合においても、各ユーザのプライバシーの保護も可能となり、また、貸出しをした第三者によってのコンテンツに対する不本意な操作等を防ぐといったことができる。
【発明を実施するための最良の形態】
【００１３】
図１は、本発明に係るビデオ記録再生装置のハードウェア構成例を示すブロック図である。図１に示すように、ビデオ記録再生装置１００は、大容量データを記録可能なＨＤＤ１０１と、映像や音声等の情報を記録、及び再生が可能なＤＶＤメディア（追記可能のＤＶＤ−Ｒ、書き換えが可能のＤＶＤ−ＲＡＭ等）のディスクドライブ１０２と、データプロセッサ１０３と、エンコーダ部１０４と、ＡＶ入力部１０５と、ＴＶチューナ１０６と、デコーダ部１０７と、ＡＶ出力部１０８と、ＲＯＭ１０９と、ＲＡＭ１１０と、ＭＰＵ１１１と、ユーザ操作入力部１１３と、外部メモリドライブ１１４とから構成される。外部メモリドライブ１１４は、外部メモリ（リムーバブルメディア）１１５に対するインターフェイスとなる。なお、外部メモリ１１５にはＳＤメモリカード等を利用する。
【００１４】
また、ビデオ記録再生装置１００は、ユーザが、ユーザ操作入力部１１３から操作するか、あるいはリモコン１１２を操作することでリモコン１１２から送信される操作信号をユーザ操作入力部１１３が受信することで、ビデオ記録再生装置１００への操作が行われ、ＭＰＵ１１１による動作管理のもと、ＴＶチューナ１０６又はＡＶ入力部１０５からの入力コンテンツを所定の記録媒体に記録保存し、また再生の指示に応じて既に記録済みのコンテンツを再生し、ＡＶ出力部１０８を介して外部に接続されたディスプレイに画像を表示する。
【００１５】
エンコーダ部１０４は、ＭＰＵ１１１の制御により、ＴＶチューナ１０６又はＡＶ入力部１０５からの入力コンテンツ信号をデジタル化した後にエンコードを行い圧縮をする。なお、エンコーダ部１０４に入力される信号がデジタル信号である場合には、デジタル化をする必要はない。ＴＶチューナ１０６は、ＭＰＵ１１１の制御によりＴＶ放送の選局を行い入力コンテンツを取り出す。また、ＡＶ入力部１０５は、外部からの、記録したい入力コンテンツ信号を入力する。
【００１６】
データプロセッサ１０３は、ＭＰＵ１１１の制御により、エンコーダ部１０４から出力される入力コンテンツ情報をＨＤＤ１０１へ供給を行い、あるいはディスクドライブ１０２を通じてＤＶＤメディアへ供給を行う。更に、データプロセッサ１０３は、ＭＰＵ１１１の制御により、記録済みコンテンツ情報をＨＤＤ１０１からの読出しを行い、あるいはディスクドライブ１０２を通じてＤＶＤメディアからの読出しを行う。更に、データプロセッサ１０３は、ＭＰＵ１１１の制御により、ＨＤＤ１０１、あるいはディスクドライブ１０２を通じてＤＶＤメディアに対し、コンテンツ情報の削除や書き換え等を行う。
【００１７】
デコーダ部１０７は、ＭＰＵ１１１の制御により、データプロセッサ１０３を通じて、ＨＤＤ１０１、あるいはディスクドライブ１０２により読み出されたＤＶＤメディアから出力されるコンテンツ情報のデコードを行い伸張をする。更に、デコーダ部１０７によってデコードされたコンテンツ再生情報をディスプレイに表示させるために、デコーダ部１０７は、ＡＶ出力部１０８へと接続される。更に、デコーダ部１０７は、コンテンツ再生情報に重ねて、ＭＰＵ１１１から入力される管理リスト情報等をオンディスプレイ信号としてＡＶ出力部１０８に出力する。
【００１８】
ＭＰＵ１１１は、ユーザがリモコン１１２を操作することにより、ユーザからのビデオ記録再生装置１００に対する操作命令を受信するユーザ操作入力部１１３が接続されており、またＲＯＭ１０９及びＲＡＭ１１０とも接続されている。更に、ＭＰＵ１１１は、ＨＤＤ１０１、ディスクドライブ１０２、データプロセッサ１０３、エンコーダ部１０４、デコーダ部１０７及び外部メモリドライブ１１４とも接続されており、各部の制御を行っている。
【００１９】
また、ＭＰＵ１１１は、ＲＯＭ１０９に記録されている制御プログラムに従って、ワーク領域としてＲＡＭ１１０を利用しながら、ユーザからの操作にもとづくビデオ記録再生装置１００としての動作の制御管理を行っている。
【００２０】
外部メモリドライブ１１４は、ＭＰＵ１１１の制御により、画像や映像、音声及び、これらのコンテンツ情報に付加されるそれ自身に関する情報としてのメタ情報等のデータを保存、及び取り出しが可能な外部メモリ１１５とのインターフェイスとして、データの書込みや読出しを行う。
【００２１】
次に、複数のユーザにより共用して利用されるビデオ記録再生装置１００において、各ユーザが所持保管するコンテンツを管理する技術について説明する。
【００２２】
図２は、本発明の第１の実施の形態におけるソフトウェア構成について示す図である。図２において、ＨＤＤ１０１にＮ個のコンテンツが格納されており、２０２は外部メモリ１１５からデータを読み出して管理リスト情報の有無を判断し、管理リスト情報の読み出しを行う管理リスト情報読出し書込み処理部、２００は管理リスト情報読出し書込み処理部２０２に基づいて登録済みのユーザであるか、あるいは新規のユーザであるかどうかを判断し、新規ユーザであれば新たにユニークなユーザＩＤの新規登録を行うユーザＩＤ認証登録処理部、２０４はユーザＩＤ認証登録処理部２００で登録されたユーザＩＤを記録管理しておくユーザＩＤ記録部、２０１は管理リスト情報読出し書込み処理部２０２とユーザＩＤ認証登録処理部２００に基づいて新規登録ユーザごとに管理リスト情報を生成する管理リスト情報生成処理部である。
【００２３】
２０３は管理リスト情報に基づいて各ユーザごとに各コンテンツの管理を行うコンテンツ管理処理部であり、コンテンツの再生に関して管理を行う再生処理部２０８と、コンテンツの削除に関して管理を行う削除処理部２０９と、コンテンツの編集に関して管理を行う編集処理部２１０と、コンテンツの複製（移動）に関して管理を行う複製（移動）処理部２１１と、コンテンツの録画に関して管理を行う録画処理部２１２と、２０８から２１２の各処理部の制御を行うコンテンツ管理情報抽出編集制御処理部２０７とから構成される。
【００２４】
２１６はユーザによる録画予約に基づいて設定を行う録画予約設定処理部、２１５は録画予約設定処理部２１６に基づいて設定された予約情報を記録管理しておく録画予約情報記録部、２１４は録画予約情報記録部２１５に記録された設定情報に基づいて録画予約の実行を行う録画予約実行処理部、２１３は録画予約設定処理部２１６によって録画予約が行われる際に管理リスト情報の読出しがなされているかどうかを判断する管理リスト有無判断処理部である。
【００２５】
２０６はユーザがコンテンツ管理リスト情報の操作や閲覧を行うユーザ操作入力処理部、２０５はコンテンツ管理処理部２０３に基づいて管理リスト情報の管理状態の表示を行う管理リスト表示処理部である。
【００２６】
これらの処理を図１に示すビデオ記録再生装置１００で実現するには、ＲＯＭ１０９に記録されたプログラムをＭＰＵ１１１によって実行することで実現でき、この場合、プログラムを実行するＭＰＵ１１１は、管理リスト情報読出し書込み処理部２０２、ユーザＩＤ認証登録処理部２００、管理リスト情報生成処理部２０１、コンテンツ管理処理部２０３（再生処理部２０８、削除処理部２０９、編集処理部２１０、複製（移動）処理部２１１、録画処理部２１２、コンテンツ管理情報抽出編集制御処理部２０７）、録画予約設定処理部２１６、録画予約実行処理部２１４、管理リスト有無判断処理部２１３、ユーザ操作入力処理部２０６、管理リスト表示処理部２０５として機能する。
【００２７】
また、ユーザＩＤ記録部２０４と、録画予約情報記録部２１５とは、ＲＯＭ１０９又はＲＡＭ１１０を用いて実現される。
【００２８】
はじめに、ユーザの確認と登録、及び管理リスト情報の生成処理について説明する。ユーザが、ビデオ記録再生装置１００の電源を投入して、外部メモリ１１５を外部メモリドライブ１１４へ挿入し、リモコン１１２による操作によってコンテンツ管理メニューに入ると、管理リスト情報読出し書込み処理部２０２は外部メモリ１１５から管理リスト情報の読出しを行い、コンテンツ管理処理部２０３はコンテンツ管理操作メニューへと移る。
【００２９】
図３に、ユーザＩＤ登録と管理リスト情報生成処理のフローチャートを示す。まず、外部メモリドライブ１１４は、外部メモリ１１５が挿入されたかどうかを判断する（Ｓ３０１）。外部メモリ１１５の挿入が無い場合は、ユーザＩＤ登録と管理リスト情報生成処理を終了する。外部メモリ１１５の挿入があった場合は、次のステップＳ３０２へ移る。ステップＳ３０２では、ユーザのリモコン１１２による操作によりコンテンツ管理メニューへ入るかどうかの判断を行い、コンテンツ管理メニューへ入る要求が無い場合は、ユーザＩＤ登録と管理リスト情報生成処理を終了する。コンテンツ管理メニューへ入る要求があった場合は、次のステップＳ３０３へ移る。ステップＳ３０３では、外部メモリ１１５からデータの読出しをして管理リスト情報の検索を行い、次のステップＳ３０４へ移る。ステップＳ３０４では、ステップＳ３０３で検索された結果に基づいて管理リスト情報の有無の判断を行い、管理リスト情報の存在が確認できなかった場合は、新規ユーザの新規登録判断処理（Ｓ３０７）へ移る。管理リスト情報の存在が確認できた場合は、次のステップＳ３０５へ移る。ステップＳ３０５では、外部メモリ１１５から読出された管理リスト情報の中に記録されているユーザＩＤの検索を行い、次のステップＳ３０６へ移る。ステップＳ３０６では、ステップＳ３０５で検索されたユーザＩＤがユーザＩＤ記録部２０４に登録済みのユーザＩＤであるかどうかの判断を行い、ユーザＩＤ記録部２０４に未登録であった場合は、新規ユーザの新規登録判断処理（Ｓ３０７）へ移る。一方、ユーザＩＤ記録部２０４に登録されたユーザＩＤであることが確認できた場合は、ユーザＩＤ登録と管理リスト情報生成処理を終了し、次のステップであるコンテンツ管理操作メニューへと入る（Ｓ３１０）。また、新規ユーザの新規登録判断処理のステップＳ３０７では、ユーザのリモコン１１２による操作により新規ユーザとしてコンテンツ管理リスト情報の生成を行うかどうかの判断を行い、新規ユーザとしてコンテンツ管理リスト情報の生成が必要の無い場合は、ユーザＩＤ登録と管理リスト情報生成処理を終了する。新規ユーザとしてコンテンツ管理リスト情報の生成の要求があった場合は、次のステップＳ３０８へ移る。ステップＳ３０８では、新規のユーザとして登録するユーザＩＤの発行を行い、ユーザＩＤ記録部２０４への記録を行って、次のステップＳ３０９へ移る。ユーザＩＤ記録部２０４には、それぞれのユーザごとを区別するユーザＩＤが記録されており、各ユーザＩＤは、それぞれのユーザごとにユニークな情報で構成される。ステップＳ３０９では、ステップＳ３０８で新規発行登録されたユーザＩＤに対応する管理リスト情報の新規作成をし、作成した管理リスト情報に新規発行登録されたユーザＩＤの記録を行い、ユーザＩＤ登録と管理リスト情報生成処理を終了し、次のステップであるコンテンツ管理操作メニューへと入る（Ｓ３１０）。
【００３０】
次に、コンテンツの録画処理について説明する。ユーザが、リモコン１１２による操作によってビデオ記録再生装置１００に対し録画処理の開始を指示すると、録画処理部２１２は録画処理を開始する。図４に録画処理のフローチャートを示す。
【００３１】
まず、管理リスト情報読出し書込み処理部２０２は、外部メモリ１１５が挿入され、管理リスト情報が記録されているかどうかを判断する（Ｓ４０１）。外部メモリ１１５の挿入が無い場合、あるいは管理リスト情報の記録が無い場合は、ステップＳ４０９へ移る。管理リスト情報の記録が確認できたら管理リスト情報の読出しを行い、記録されているユーザＩＤを抽出して、ユーザＩＤ記録部２０４に記録保存されているユーザＩＤとの照合を行う（Ｓ４０２）。なお、ここで照合に失敗した場合は、録画処理を中止するか、後述するゲストＩＤとしての録画処理（Ｓ４０９）に移ってもよい。ユーザＩＤの照合に成功した場合、録画処理部２１２は現在視聴中のコンテンツ（番組）に関するコンテンツ識別情報の生成を行い（Ｓ４０３）、ＴＶチューナ１０６が受信している所望のコンテンツをデジタル映像音声信号からエンコーダ部１０４によってＭＰＥＧ−２等の圧縮情報に変換し、録画コンテンツとしてＨＤＤ１０１に記録する（Ｓ４０４）。なお、この動作は、ユーザにより録画停止の指示がない限り継続される。ユーザによる録画停止の指示が発生（Ｓ４０５）すると、録画処理部２１２はステップＳ４０３で生成したコンテンツ識別情報に対して録画終了時間等の情報の追記を行う（Ｓ４０６）。また、ＨＤＤ１０１へ記録された当該コンテンツの圧縮情報に付随するコンテンツの属性情報として、コンテンツ識別情報と、当該コンテンツの所有者として照合されたユーザＩＤとをＨＤＤ１０１へ記録する（Ｓ４０７）。次に、外部メモリ１１５から読み出した管理リスト情報にコンテンツ識別情報を記録し、外部メモリ１１５へ書き戻して（Ｓ４０８）、録画処理を終了する。
【００３２】
一方、ステップＳ４０１において、外部メモリ１１５の挿入が無い場合、あるいは管理リスト情報の記録が無い場合は、ゲストユーザ扱いとしてゲストユーザＩＤの発行を行う（Ｓ４０９）。なお、ゲストユーザＩＤとしては、ある決まった識別子を常に用いてもよいが、固定識別子に乱数や追番を付与する形態でも構わない。ステップＳ４０９でゲストユーザＩＤの発行が行われると、録画処理部２１２は現在視聴中のコンテンツに関するコンテンツ識別情報の生成を行い（Ｓ４１０）、ＴＶチューナ１０６が受信している所望のコンテンツをデジタル映像音声信号としてＭＰＥＧ−２等の圧縮情報に変換し、録画コンテンツとしてＨＤＤ１０１に記録する（Ｓ４１１）。なお、この動作は、ユーザにより録画停止の指示がない限り継続される。ユーザによる録画停止の指示が発生（Ｓ４１２）すると、録画処理部２１２はステップＳ４１０で生成したコンテンツ識別情報に対して録画終了時間等の情報の追記を行う（Ｓ４１３）。また、ＨＤＤ１０１へ記録された当該コンテンツの圧縮情報に付随するコンテンツの属性情報として、コンテンツ識別情報と、当該コンテンツの所有者として発行されたゲストユーザＩＤとをＨＤＤ１０１へ記録し（Ｓ４１４）、録画処理を終了する。
【００３３】
次に、コンテンツの録画の予約設定処理について説明する。ユーザが、リモコン１１２による操作によってビデオ記録再生装置１００に対し録画処理の予約設定の開始を指示すると、録画予約設定処理部２１６は録画の予約設定処理を開始する。図５と図６に録画の予約設定処理のフローチャートを示す。
【００３４】
まず、管理リスト情報読出し書込み処理部２０２は、外部メモリ１１５が挿入され、管理リスト情報が記録されているかどうかを判断する（Ｓ５０１）。外部メモリ１１５の挿入が無い場合、あるいは管理リスト情報の記録が無い場合は、図６のステップＳ６０１へ移る。管理リスト情報の記録が確認できたら管理リスト情報の読出しを行い、記録されているユーザＩＤを抽出して、ユーザＩＤ記録部２０４に記録保存されているユーザＩＤとの照合を行う（Ｓ５０２）。なお、ここで照合に失敗した場合は、録画処理を中止するか、後述するゲストＩＤとしての録画処理（Ｓ６０１）に移ってもよい。ユーザＩＤの照合に成功した場合、録画予約設定処理部２１６は、ユーザが録画予約を指定するコンテンツに関する録画予約情報の生成を行い（Ｓ５０３）、更に、既に記録されている録画予約情報を録画予約情報記録部２１５から読み出して、予約が重複するコンテンツが存在するかどうかの確認を行う（Ｓ５０４）。予約が重複するようなコンテンツが存在しない場合は、ステップＳ５０３で生成された録画予約情報を、ステップＳ５０２で照合されたユーザＩＤとともに、録画予約情報記録部２１５へと書き戻す（Ｓ５０５）。これによって、録画予約情報記録部２１５には、新規の録画予約情報として追記保存される。更に、ステップＳ５０３で生成された録画予約情報を、外部メモリ１１５から読み出した管理リスト情報に追記し、外部メモリ１１５へ書き戻して（Ｓ５０６）、録画予約設定処理を終了する。
【００３５】
ステップＳ５０４にて、予約が重複するようなコンテンツが存在した場合は、録画予約情報記録部２１５から読み出した、既に記録されている録画予約情報で重複するコンテンツに対し付与されている全ユーザＩＤの読出しを行い（Ｓ５０７）、ステップＳ５０２で照合されたユーザＩＤが付与されているかどうかの確認を行う（Ｓ５０８）。ステップＳ５０８で、ステップＳ５０２で照合されたユーザＩＤが付与されたコンテンツの存在が確認された場合、ステップＳ５０３で生成された録画予約情報を破棄し（Ｓ５１１）、録画予約設定処理を終了する。また、ステップＳ５０８で、ステップＳ５０２で照合されたユーザＩＤの付与されたコンテンツの存在が確認できなかった場合は、録画予約情報の中で重複する当該コンテンツに対してステップＳ５０２で照合されたユーザＩＤを追記するかたちで記録し、録画予約情報記録部２１５へと書き戻す（Ｓ５０９）。更に、ステップＳ５０３で生成された録画予約情報を破棄し（Ｓ５１０）、ステップＳ５０９で記録された録画予約情報を、外部メモリ１１５から読み出した管理リスト情報に追記し、外部メモリ１１５へ書き戻して（Ｓ５０６）、録画予約設定処理を終了する。
【００３６】
一方、ステップＳ５０１にて、外部メモリ１１５の挿入が無い場合、あるいは管理リスト情報の記録が無い場合は、ゲストユーザ扱いとしてゲストユーザＩＤの発行を行う（Ｓ６０１）。なお、ゲストユーザＩＤとしては、ある決まった識別子を常に用いてもよいが、固定識別子に乱数や追番を付与する形態でも構わない。ステップＳ６０１でゲストユーザＩＤの発行が行われると、録画予約設定処理部２１６は、ユーザが録画予約を指定するコンテンツに関する録画予約情報の生成を行い（Ｓ６０２）、更に、既に記録されている録画予約情報を録画予約情報記録部２１５から読み出して、予約が重複するコンテンツが存在するかどうかの確認を行う（Ｓ６０３）。予約が重複するようなコンテンツが存在しない場合は、ステップＳ６０２で生成された録画予約情報を、ステップＳ６０１で発行されたゲストユーザＩＤとともに、録画予約情報記録部２１５へと書き戻す（Ｓ６０４）。これによって、録画予約情報記録部２１５には、新規の録画予約情報として追記保存され、録画予約設定処理を終了する。
【００３７】
ステップＳ６０３にて、予約が重複するようなコンテンツが存在した場合は、録画予約情報記録部２１５から読み出した、既に記録されている録画予約情報で重複するコンテンツに対し付与されている全ユーザＩＤの読出しを行い（Ｓ６０５）、ステップＳ６０１で発行されたゲストユーザＩＤが付与されているかどうかの確認を行う（Ｓ６０６）。ステップＳ６０６で、ステップＳ６０１で発行されたゲストユーザＩＤが付与されたコンテンツの存在が確認された場合、ステップＳ６０２で生成された録画予約情報を破棄し（Ｓ６０９）、録画予約設定処理を終了する。また、ステップＳ６０６で、ステップＳ６０１で発行されたゲストユーザＩＤの付与されたコンテンツの存在が確認できなかった場合は、録画予約情報の中で重複する当該コンテンツに対してステップＳ６０１で発行されたゲストユーザＩＤを追記するかたちで記録し、録画予約情報記録部２１５へと書き戻す（Ｓ６０７）。更に、ステップＳ６０２で生成された録画予約情報を破棄し（Ｓ６０８）、録画予約設定処理を終了する。
【００３８】
次に、コンテンツの予約した録画の実行処理について説明する。図７に、予約した録画の実行処理のフローチャートを示す。
【００３９】
録画予約実行処理部２１４は、録画予約情報記録部２１５から定期的に録画予約情報の読出しを行う等して（Ｓ７０１）、録画予約の開始時刻が現在の時刻と一致したかどうかを判断し（Ｓ７０２）、一致しなければステップＳ７０１へ戻って開始時刻の監視を継続する。録画予約情報記録部２１５から読み出した録画予約情報の録画開始時刻と、現在の時刻との一致を検出した場合には、録画予約実行処理を開始する。
【００４０】
まず、管理リスト情報読出し書込み処理部２０２は、外部メモリ１１５が挿入され、管理リスト情報が記録されているかどうかを判断する（Ｓ７０３）。外部メモリ１１５の挿入が無い場合、あるいは管理リスト情報の記録が無い場合は、ステップＳ７１４へ移る。管理リスト情報の記録が確認できたら管理リスト情報の読出しを行い、記録されているユーザＩＤを抽出して、ユーザＩＤ記録部２０４に記録保存されているユーザＩＤとの照合を行う（Ｓ７０４）。なお、ここで照合に失敗した場合は、後述する録画処理のフロー（Ｓ７１４）に移ることとする。ユーザＩＤの照合に成功した場合、録画処理部２１２はこれから録画しようとするコンテンツに関するコンテンツ識別情報の生成を行い（Ｓ７０５）、ＴＶチューナ１０６が受信している所望のコンテンツをデジタル映像音声信号としてＭＰＥＧ−２等の圧縮情報に変換し、録画コンテンツとしてＨＤＤ１０１に記録する（Ｓ７０６）。なお、この動作は、現在の時刻が録画予約情報記録部２１５から読み出した録画予約情報の録画終了時刻に達したことを、録画予約実行処理部２１４が検出して録画停止の指示がない限り継続される。録画予約実行処理部２１４による録画停止の指示が発生（Ｓ７０７）すると、録画処理部２１２はステップＳ７０５で生成したコンテンツ識別情報に対して録画終了時間等の情報の追記を行う（Ｓ７０８）。また、ＨＤＤ１０１へ記録された当該コンテンツの圧縮情報に付随するコンテンツの属性情報として、コンテンツ識別情報と、当該コンテンツの所有者として照合されたユーザＩＤとをＨＤＤ１０１へ記録する（Ｓ７０９）。次に、外部メモリ１１５から読み出した管理リスト情報にコンテンツ識別情報を記録し、外部メモリ１１５へ書き戻しを行う（Ｓ７１０）。更に、録画予約情報記録部２１５から読み出した録画予約情報から、ステップＳ７０４で照合したユーザＩＤの削除を行い、録画予約情報記録部２１５へ書き戻しを行う（Ｓ７１１）。次に、録画予約情報記録部２１５から読み出した録画予約情報に、当該コンテンツに対して重複予約を行った他のユーザＩＤの記録の有無を確認し（Ｓ７１２）、重複予約を行ったユーザの存在が無い場合、録画予約情報記録部２１５から当該録画予約情報の削除（Ｓ７１３）を行って、予約された録画の実行処理を終了する。なお、ステップＳ７１２にて、重複予約を行ったユーザの存在があると判断された場合は、後述のステップＳ７１９へ移る。
【００４１】
一方、ステップＳ７０３にて、外部メモリ１１５の挿入が無い場合、あるいは管理リスト情報の記録が無い場合は、ステップＳ７１４の処理へ移る。ステップＳ７１４では、録画処理部２１２がこれから録画しようとするコンテンツに関するコンテンツ識別情報の生成を行う。そしてＴＶチューナ１０６が受信している所望のコンテンツをデジタル映像音声信号としてＭＰＥＧ−２等の圧縮情報に変換し、録画コンテンツとしてＨＤＤ１０１に記録する（Ｓ７１５）。なお、この動作は、現在の時刻が録画予約情報記録部２１５から読み出した録画予約情報の録画終了時刻に達したことを、録画予約実行処理部２１４が検出して録画停止の指示がない限り継続される。録画予約実行処理部２１４による録画停止の指示が発生（Ｓ７１６）すると、録画処理部２１２はステップＳ７１４で生成したコンテンツ識別情報に対して録画終了時間等の情報の追記を行う（Ｓ７１７）。また、ＨＤＤ１０１へ記録された当該コンテンツの圧縮情報に付随するコンテンツの属性情報として、コンテンツ識別情報をＨＤＤ１０１へ記録する（Ｓ７１８）。更に、録画予約実行処理部２１４は、録画予約情報記録部２１５から読み出した録画予約情報に、当該コンテンツに対するゲストユーザＩＤの記録の有無を確認し（Ｓ７１９）、ゲストユーザＩＤの存在が無い場合、録画予約情報記録部２１５から読み出した当該録画予約情報に、当該コンテンツに対する属性情報として、録画済フラグをセットし（Ｓ７２３）、予約された録画の実行処理を終了する。これにより、重複録画予約をおこなったゲストユーザ以外の他のユーザに対する、管理リスト情報の更新と、重複コンテンツの共有化が行える。
【００４２】
また、ステップＳ７１９において、ゲストユーザＩＤの存在が確認された場合は、ＨＤＤ１０１へ記録された当該コンテンツの圧縮情報に付随するコンテンツの属性情報として、ステップＳ７１９で検出されたゲストユーザＩＤを、当該コンテンツの所有者としてＨＤＤ１０１へ記録する（Ｓ７２０）。次に、ステップＳ７２１では、録画予約情報記録部２１５から読み出した録画予約情報からゲストユーザＩＤの削除を行い、更に、当該録画予約情報に記録されている当該コンテンツに対するユーザＩＤの記録が他にないかどうかの確認を行い（Ｓ７２２）、これ以上、他のユーザＩＤの付与が無い場合は、録画予約情報記録部２１５から当該録画予約情報の削除（Ｓ７１３）を行って、予約された録画の実行処理を終了する。
【００４３】
一方、ステップＳ７２２において、まだ、他のユーザＩＤの記録があることが確認された場合は、録画予約情報記録部２１５から読み出した当該録画予約情報に、当該コンテンツに対する属性情報として、録画済フラグをセットし（Ｓ７２３）、予約された録画の実行処理を終了する。
【００４４】
次に、予約して録画したコンテンツの管理リストへの記録処理について説明する。図７のフローチャートが示すように、ユーザが予約したコンテンツの録画の実行が行われる際に、管理リスト情報読出し書込み処理部２０２が、外部メモリ１１５が挿入されて管理リスト情報が記録されているかどうかの判断（Ｓ７０３）において、外部メモリ１１５の挿入が無い場合、又は当該管理リスト情報が無いことを検出した場合、あるいは、管理リスト情報が確認できても、読み出したユーザＩＤがユーザＩＤ記録部２０４に記録されているユーザＩＤ情報のいずれとも一致しないような場合には、予約録画を実行しようとしている当該コンテンツに対して予約を登録した各ユーザの管理リスト情報と、録画予約情報記録部２１５から読み出して得られる録画予約情報とを参照して識別が可能な、録画された当該コンテンツの属性情報との整合性を取るために、録画予約実行処理部２１４はステップＳ７２３にて、録画予約情報記録部２１５から読み出した当該録画予約情報に、当該コンテンツに対する属性情報として録画済フラグのセットを行う。
【００４５】
図８に、予約して録画したコンテンツの管理リストへの記録処理についてのフローチャートを示す。まず、管理リスト情報読出し書込み処理部２０２は、外部メモリ１１５が挿入され、管理リスト情報が記録されているかどうかを判断する（Ｓ８０１）。外部メモリ１１５の挿入が無い場合、あるいは管理リスト情報の記録が無い場合は、予約して録画したコンテンツの管理リストへの記録処理を終了する。管理リスト情報の記録が確認できたら管理リスト情報の読出しを行い、記録されているユーザＩＤを抽出して、ユーザＩＤ記録部２０４に記録保存されているユーザＩＤとの照合を行う（Ｓ８０２）。なお、ここで照合に失敗した場合も、予約して録画したコンテンツの管理リストへの記録処理を終了する。ユーザＩＤの照合に成功した場合、コンテンツ管理情報抽出編集制御処理部２０７は、録画予約情報記録部２１５から録画予約情報の読出しを行い（Ｓ８０３）、更に、当該録画予約情報において、ステップＳ８０２で照合したユーザＩＤが記録されており、かつ、図７のステップＳ７２３にて記録されたコンテンツに対する属性情報としての録画済フラグも記録されているようなコンテンツの有無を確認する（Ｓ８０４）。ステップＳ８０４にて、ステップＳ８０２で照合したユーザＩＤが記録されており、かつ、図７のステップＳ７２３にて記録されたコンテンツに対する属性情報としての録画済フラグの記録も満足するような情報が当該録画予約情報には存在しないと判断された場合は、予約して録画したコンテンツの管理リストへの記録処理を終了する。
【００４６】
一方、ステップＳ８０４にて、ステップＳ８０２で照合したユーザＩＤが記録されており、かつ、図７のステップＳ７２３にて記録されたコンテンツに対する属性情報としての録画済フラグの記録も満足するような情報が当該録画予約情報に存在すると判断された場合は、ＨＤＤ１０１へ記録された当該コンテンツの圧縮情報に付随するコンテンツの属性情報として、ステップＳ８０２で検出されたユーザＩＤを、当該コンテンツの所有者としてＨＤＤ１０１へ記録する（Ｓ８０５）。なお、既に、当該コンテンツの属性情報に対して別のユーザＩＤが記録されておれば、ステップＳ８０２で検出されたユーザＩＤの追記という処理になる（Ｓ８０６）。更に、録画予約情報記録部２１５から読み出した録画予約情報から、ステップＳ８０２で照合したユーザＩＤの削除を行い、録画予約情報記録部２１５へ書き戻しを行う（Ｓ８０７）。
【００４７】
次に、録画予約情報記録部２１５から読み出した録画予約情報に、ステップＳ８０４で検出されたコンテンツに対して重複予約を行った他のユーザＩＤの記録の有無を確認し（Ｓ８０８）、重複予約を行ったユーザの存在が無い場合、録画予約情報記録部２１５から当該録画予約情報の削除（Ｓ８０９）を行って、予約して録画したコンテンツの管理リストへの記録処理を終了する。なお、ステップＳ８０８にて、重複予約を行ったユーザの存在があると判断された場合は、そのまま予約して録画したコンテンツの管理リストへの記録処理を終了する。
【００４８】
なお、この処理フローは、外部メモリドライブ１１４への外部メモリ１１５の挿入が行われるたびに実行するようにすることで、不整合な状態になることを防ぐことができる。
【００４９】
次に、録画を予約中、あるいは録画済であるコンテンツのリストの表示処理について説明する。ユーザが、リモコン１１２による操作によって、ビデオ記録再生装置１００に記録されているコンテンツに対しての再生、削除、複製（移動）、編集、確認、管理等の制御指示を行う場合に、コンテンツ管理情報抽出編集制御処理部２０７は、当該ユーザの管理下にある幾つかのコンテンツの中から選択的に決定して所望の制御指示を発行できるようにするために、録画を予約中、あるいは録画済であるコンテンツのリストの表示処理を開始する。図９に、コンテンツのリスト表示処理のフローチャートを示す。
【００５０】
まず、管理リスト情報読出し書込み処理部２０２は、外部メモリ１１５が挿入され、管理リスト情報が記録されているかどうかを判断する（Ｓ９０１）。外部メモリ１１５の挿入が無い場合、あるいは管理リスト情報の記録が無い場合は、ステップＳ９０８へ移る。管理リスト情報の記録が確認できたら管理リスト情報の読出しを行い、記録されているユーザＩＤを抽出して、ユーザＩＤ記録部２０４に記録保存されているユーザＩＤとの照合を行う（Ｓ９０２）。なお、ここで照合に失敗した場合は、録画処理を中止するか、ステップＳ９０８に移ってもよい。ユーザＩＤの照合に成功した場合、コンテンツ管理情報抽出編集制御処理部２０７は、録画予約情報記録部２１５から録画予約情報の読出しを行い（Ｓ９０３）、更に、当該録画予約情報において、ステップＳ９０２で照合したユーザＩＤが記録されているかを確認する（Ｓ９０４）。ステップＳ９０４にて、ステップＳ９０２で照合したユーザＩＤの記録が、当該録画予約情報には存在しないと判断された場合は、ステップＳ９０６へ移る。一方、ステップＳ９０４にて、ステップＳ９０２で照合したユーザＩＤの記録が当該録画予約情報に存在すると判断された場合は、当該録画予約情報から当該ユーザＩＤの記録がされている全ての予約情報を検出して、予約コンテンツリスト情報を生成する（Ｓ９０５）。次に、ステップＳ９０６では、ステップＳ９０２で読み出された管理リスト情報から録画済みの各コンテンツ情報を検出して、録画コンテンツリスト情報を生成する。更に、コンテンツ管理情報抽出編集制御処理部２０７は、ステップＳ９０５で生成された予約コンテンツリスト情報、及びステップＳ９０６で生成された録画コンテンツリスト情報のそれぞれを、管理リスト表示処理部２０５によってディスプレイへ表示させる（Ｓ９０７）。
【００５１】
一方、ステップＳ９０１にて、外部メモリ１１５の挿入が無い場合、あるいは管理リスト情報の記録が無い場合は、ステップＳ９０８の処理へ移る。ステップＳ９０８では、コンテンツ管理情報抽出編集制御処理部２０７は、録画予約情報記録部２１５から録画予約情報の読出しを行う（Ｓ９０８）。更に、コンテンツ管理情報抽出編集制御処理部２０７は、当該録画予約情報において、ゲストユーザＩＤの記録の有無を確認する（Ｓ９０９）。ステップＳ９０９にて、ゲストユーザＩＤの記録が、当該録画予約情報には存在しないと判断された場合は、ステップＳ９１１へ移る。一方、ステップＳ９０９にて、ゲストユーザＩＤの記録が当該録画予約情報に存在すると判断された場合は、当該録画予約情報から当該ゲストユーザＩＤの記録がされている全ての予約情報を検出して、予約コンテンツリスト情報を生成する（Ｓ９１０）。次に、ステップＳ９１１では、ＨＤＤ１０１に録画記録済の各コンテンツの属性情報の中から、当該ゲストユーザＩＤの記録がされているコンテンツ識別情報を検出して、録画コンテンツリスト情報を生成する。更に、コンテンツ管理情報抽出編集制御処理部２０７は、ステップＳ９１０で生成されたゲストユーザ用の予約コンテンツリスト情報、及びステップＳ９１１で生成されたゲストユーザ用の録画コンテンツリスト情報のそれぞれを、管理リスト表示処理部２０５によってディスプレイへ表示させる（Ｓ９０７）。なお、ステップＳ９０６において、コンテンツ管理情報抽出編集制御処理部２０７は、ステップＳ９０２で読み出したユーザＩＤに基づいて、ＨＤＤ１０１に録画記録済の各コンテンツの属性情報の中から、当該ユーザＩＤの記録がされているコンテンツ識別情報を検出して、録画コンテンツリスト情報を生成するようにしても構わない。
【００５２】
次に、コンテンツの再生処理について説明する。ユーザが、リモコン１１２による操作によってビデオ記録再生装置１００に対し、コンテンツ管理操作メニューへの遷移を指示すると、コンテンツ管理情報抽出編集制御処理部２０７は、ユーザからの再生指示を受けた後に、再生の処理を開始する。図１０に、再生の処理のフローチャートを示す。
【００５３】
まず、管理リスト情報読出し書込み処理部２０２は、外部メモリ１１５が挿入され、管理リスト情報が記録されているかどうかを判断する（Ｓ１００１）。外部メモリ１１５の挿入が無い場合、あるいは管理リスト情報の記録が無い場合は、ステップＳ１０１０へ移る。管理リスト情報の記録が確認できたら管理リスト情報の読出しを行い、記録されているユーザＩＤを抽出して、ユーザＩＤ記録部２０４に記録保存されているユーザＩＤとの照合を行う（Ｓ１００２）。なお、ここで照合に失敗した場合は、再生処理を中止するか、後述するゲストＩＤとしての再生処理（Ｓ１０１０）に移ってもよい。ユーザＩＤの照合に成功した場合、コンテンツ管理情報抽出編集制御処理部２０７は、ステップＳ１００２で読み出された管理リスト情報から録画済みの各コンテンツ情報を検出して、録画コンテンツリスト情報を生成する（Ｓ１００３）。更に、コンテンツ管理情報抽出編集制御処理部２０７は、ステップＳ１００３で生成された録画コンテンツリスト情報を、管理リスト表示処理部２０５によってディスプレイへ表示させる（Ｓ１００４）。
【００５４】
次に、ユーザが、リモコン１１２による操作によってビデオ記録再生装置１００に対し、コンテンツ管理操作メニューの中で、再生をしようとする所望のコンテンツを管理リスト表示処理部２０５によってディスプレイへ表示された録画コンテンツリスト情報（項目やサムネイル表示等の一覧）から選択を行う（Ｓ１００５）。所定のコンテンツが選択されると、コンテンツ管理情報抽出編集制御処理部２０７は、再生処理部２０８へ、当該コンテンツの再生の指示を行う。再生処理部２０８は、コンテンツ管理情報抽出編集制御処理部２０７からの再生指示を受けて、ＨＤＤ１０１にＭＰＥＧ−２等の圧縮情報に変換された形で記録保存されている当該コンテンツの読出しを行い、デコーダ部１０７により当該圧縮情報をデジタル映像音声信号として伸張して、ＡＶ出力部１０８から表示装置（ディスプレイ）へと出力をし、音声の出力及び画像の表示が行われる（Ｓ１００６）。
【００５５】
なお、この動作は、ユーザのリモコン１１２による操作によってのビデオ記録再生装置１００に対する再生停止の指示がない限り継続される。ユーザによる再生停止の指示が発生（Ｓ１００７）すると、再生処理部２０８はステップＳ１００２で外部メモリ１１５から読み出した管理リスト情報に対して、再生していた当該コンテンツに関しての再生日時や再生時間等の情報を再生履歴情報として追記を行い、外部メモリ１１５へ書き戻して再生処理を終了する（Ｓ１００９）。また、ステップＳ１００７にて、ユーザによる再生停止の指示が検出できない場合は、ステップＳ１００８で当該コンテンツの再生状況、つまりはコンテンツの最後の部分を監視する処理を継続し、当該コンテンツの最後まで再生処理を行う。ステップＳ１００８にて、当該コンテンツの再生が最後まで達したことを検出すると、ステップＳ１００９に移り、再生処理部２０８はステップＳ１００２で外部メモリ１１５から読み出した管理リスト情報に対して、再生していた当該コンテンツに関しての再生日時や再生時間等の情報を再生履歴情報として追記を行い、外部メモリ１１５へ書き戻して再生処理を終了する。
【００５６】
一方、ステップＳ１００１において、外部メモリ１１５の挿入が無い場合、あるいは管理リスト情報の記録が無い場合は、ゲストユーザ扱いとしてゲストユーザＩＤを用い、ＨＤＤ１０１に録画記録済の各コンテンツの属性情報の中から、当該ゲストユーザＩＤの記録がされているコンテンツ識別情報を検出して、録画コンテンツリスト情報を生成し（Ｓ１０１０）、ステップＳ１００４へと移る。これ以降のステップＳ１００９までの処理フローは、前述のステップＳ１００４以降の処理フローに同じであるため、説明を省略する。
【００５７】
なお、ステップＳ１００３において、コンテンツ管理情報抽出編集制御処理部２０７は、ステップＳ１００２で読み出したユーザＩＤに基づいて、ＨＤＤ１０１に録画記録済の各コンテンツの属性情報の中から、当該ユーザＩＤの記録がされているコンテンツ識別情報を検出して、録画コンテンツリスト情報を生成するようにしても構わない。
【００５８】
次に、コンテンツの削除処理について説明する。ユーザが、リモコン１１２による操作によってビデオ記録再生装置１００に対し、コンテンツ管理操作メニューへの遷移を指示すると、コンテンツ管理情報抽出編集制御処理部２０７は、ユーザからのコンテンツ削除指示を受けた後に、コンテンツ削除の処理を開始する。図１１に、削除の処理のフローチャートを示す。
【００５９】
まず、管理リスト情報読出し書込み処理部２０２は、外部メモリ１１５が挿入され、管理リスト情報が記録されているかどうかを判断する（Ｓ１１０１）。外部メモリ１１５の挿入が無い場合、あるいは管理リスト情報の記録が無い場合は、ステップＳ１１１０へ移る。管理リスト情報の記録が確認できたら管理リスト情報の読出しを行い、記録されているユーザＩＤを抽出して、ユーザＩＤ記録部２０４に記録保存されているユーザＩＤとの照合を行う（Ｓ１１０２）。なお、ここで照合に失敗した場合は、削除処理を中止するか、後述するゲストＩＤとしての削除処理（Ｓ１１１０）に移ってもよい。ユーザＩＤの照合に成功した場合、コンテンツ管理情報抽出編集制御処理部２０７は、ステップＳ１１０２で読み出された管理リスト情報から録画済みの各コンテンツ情報を検出して、録画コンテンツリスト情報を生成する（Ｓ１１０３）。更に、コンテンツ管理情報抽出編集制御処理部２０７は、ステップＳ１１０３で生成された録画コンテンツリスト情報を、管理リスト表示処理部２０５によってディスプレイへ表示させる（Ｓ１１０４）。
【００６０】
次に、ユーザが、リモコン１１２による操作によってビデオ記録再生装置１００に対し、コンテンツ管理操作メニューの中で、削除をしようとする所望のコンテンツを管理リスト表示処理部２０５によってディスプレイへ表示された録画コンテンツリスト情報（項目やサムネイル表示等の一覧）から選択を行う（Ｓ１１０５）。所定のコンテンツに対して削除の指示が行われると、コンテンツ管理情報抽出編集制御処理部２０７は、削除処理部２０９へ、当該コンテンツの削除の指示を行う。削除処理部２０９は、コンテンツ管理情報抽出編集制御処理部２０７からの削除指示を受けて、ステップＳ１１０２で外部メモリ１１５から読み出した管理リスト情報から、削除の対象となっている当該コンテンツのコンテンツ識別情報を削除する（Ｓ１１０６）。なお、ステップＳ１１０６においては、削除の対象となっている当該コンテンツのコンテンツ識別情報を削除せずに、削除フラグを設定する等して、ユーザによる削除操作の履歴を残すようにしても構わない。次に、ステップＳ１１０７では、ＨＤＤ１０１に記録している削除の対象とされる当該コンテンツに対応した属性情報から、当該コンテンツの所有者としてステップＳ１１０２で照合されたユーザＩＤを削除する。更に、ステップＳ１１０８では、当該コンテンツ属性情報に、さらなるユーザＩＤの記録がなされていないかを確認し、まだユーザＩＤの記録がなされている場合は、そのままコンテンツの削除処理を終了する。一方、ゲストユーザＩＤも含めて１つもユーザＩＤの記録が当該コンテンツ属性情報に検出されない場合は、ＨＤＤ１０１に記録されている削除対象の当該コンテンツデータの、ＨＤＤ１０１からの削除を行う（Ｓ１１０９）。
【００６１】
一方で、ステップＳ１１０１において、外部メモリ１１５の挿入が無い場合、あるいは管理リスト情報の記録が無い場合は、ゲストユーザ扱いとしてゲストユーザＩＤを用い、ＨＤＤ１０１に録画記録済の各コンテンツの属性情報の中から、当該ゲストユーザＩＤの記録がされているコンテンツ識別情報を検出して、録画コンテンツリスト情報を生成する（Ｓ１１１０）。更に、コンテンツ管理情報抽出編集制御処理部２０７は、ステップＳ１１１０で生成された録画コンテンツリスト情報を、管理リスト表示処理部２０５によってディスプレイへ表示させる（Ｓ１１１１）。次に、ユーザが、リモコン１１２による操作によってビデオ記録再生装置１００に対し、コンテンツ管理操作メニューの中で、削除をしようとする所望のコンテンツを管理リスト表示処理部２０５によってディスプレイへ表示された録画コンテンツリスト情報（項目やサムネイル表示等の一覧）から選択を行う（Ｓ１１１２）。所定のコンテンツに対して削除の指示が行われると、コンテンツ管理情報抽出編集制御処理部２０７は、削除処理部２０９へ、当該コンテンツの削除の指示を行う。削除処理部２０９は、コンテンツ管理情報抽出編集制御処理部２０７からの削除指示を受けて、ＨＤＤ１０１に記録している削除の対象とされる当該コンテンツに対応した属性情報から、当該コンテンツの所有者としてステップＳ１１１０で利用されたゲストユーザＩＤを削除する（Ｓ１１１３）。更に、ステップＳ１１０８では、当該コンテンツ属性情報に、さらなるユーザＩＤの記録がなされていないかを確認し、まだユーザＩＤの記録がなされている場合は、そのままコンテンツの削除処理を終了する。一方、ゲストユーザＩＤ以外のユーザＩＤも含めて１つもユーザＩＤの記録が当該コンテンツ属性情報に検出されない場合は、ＨＤＤ１０１に記録されている削除対象の当該コンテンツデータの、ＨＤＤ１０１からの削除を行う（Ｓ１１０９）。
【００６２】
次に、コンテンツの複製（移動）処理について説明する。複製（移動）の処理ついては、対象のコンテンツによっては、複製を行っても構わないものと、複製を禁止するものがあり、複製を禁止されるものは移動処理しか実施できない。したがって、複製が許可されたコンテンツの場合と禁止されたコンテンツの場合とで分けて、そのそれぞれについて、ＨＤＤ１０１からディスクドライブ１０２を介して他のメディアへの処理の場合と、他のメディアからディスクドライブ１０２を介してＨＤＤ１０１への処理の場合とについて説明する。
【００６３】
はじめに、複製処理が許可されたコンテンツを、ＨＤＤ１０１からディスクドライブ１０２を介して他のメディアへ複製処理する場合を説明する。ユーザが、リモコン１１２による操作によってビデオ記録再生装置１００に対し、コンテンツ管理操作メニューへの遷移を指示すると、コンテンツ管理情報抽出編集制御処理部２０７は、ユーザからの、ＨＤＤ１０１からディスクドライブ１０２を介して他のメディアへのコンテンツ複製指示を受けた後に、コンテンツ複製の処理を開始する。図１２に、この場合の複製処理のフローチャートを示す。
【００６４】
まず、管理リスト情報読出し書込み処理部２０２は、外部メモリ１１５が挿入され、管理リスト情報が記録されているかどうかを判断する（Ｓ１２０１）。外部メモリ１１５の挿入が無い場合、あるいは管理リスト情報の記録が無い場合は、ステップＳ１２１０へ移る。管理リスト情報の記録が確認できたら管理リスト情報の読出しを行い、記録されているユーザＩＤを抽出して、ユーザＩＤ記録部２０４に記録保存されているユーザＩＤとの照合を行う（Ｓ１２０２）。なお、ここで照合に失敗した場合は、複製処理を中止するか、後述するゲストＩＤとしての複製処理（Ｓ１２１０）に移ってもよい。ユーザＩＤの照合に成功した場合、コンテンツ管理情報抽出編集制御処理部２０７は、ステップＳ１２０２で読み出された管理リスト情報から録画済みの各コンテンツ情報を検出し、その内から複製を禁止されていないものを抽出して録画コンテンツリスト情報を生成する（Ｓ１２０３）。更に、コンテンツ管理情報抽出編集制御処理部２０７は、ステップＳ１２０３で生成された録画コンテンツリスト情報を、管理リスト表示処理部２０５によってディスプレイへ表示させる（Ｓ１２０４）。次に、ユーザが、リモコン１１２による操作によってビデオ記録再生装置１００に対し、コンテンツ管理操作メニューの中で、複製をしようとする所望のコンテンツを管理リスト表示処理部２０５によってディスプレイへ表示された録画コンテンツリスト情報（項目やサムネイル表示等の一覧）から選択を行う（Ｓ１２０５）。所定のコンテンツに対して複製の指示が行われると、コンテンツ管理情報抽出編集制御処理部２０７は、複製（移動）処理部２１１へ、当該コンテンツの複製の指示を行う。複製（移動）処理部２１１は、コンテンツ管理情報抽出編集制御処理部２０７からの複製指示を受けて、複製元であるＨＤＤ１０１から、複製先となるディスクドライブ１０２を介して他のメディアへの、当該コンテンツの複製処理を行う（Ｓ１２０６）。更に、複製処理を完了すると、複製（移動）処理部２１１は、複製先へ複製したコンテンツに関するコンテンツ識別情報の生成を行う（Ｓ１２０７）。次に、ステップＳ１２０２で外部メモリ１１５から読み出した管理リスト情報へ、複製された当該コンテンツのコンテンツ識別情報を記録する（Ｓ１２０８）。なお、このとき、当該コンテンツ識別情報に、どの機器から複製してきたか等の情報も含めて、複製履歴等も記録する。最後に、複製（移動）処理部２１１は、複製先となるディスクドライブ１０２を介して他のメディアに対しても、当該コンテンツに対するコンテンツ属性情報として、コンテンツ識別情報と、当該コンテンツの所有者としてステップＳ１２０２で照合されたユーザＩＤを記録して（Ｓ１２０９）、複製処理を終了する。
【００６５】
一方で、ステップＳ１２０１において、外部メモリ１１５の挿入が無い場合、あるいは管理リスト情報の記録が無い場合は、コンテンツ管理情報抽出編集制御処理部２０７は、ゲストユーザ扱いとしてゲストユーザＩＤを用い、ＨＤＤ１０１に録画記録済の各コンテンツの属性情報の中から、当該ゲストユーザＩＤの記録がされているコンテンツ識別情報を検出し、その内から複製を禁止されていないものを抽出して録画コンテンツリスト情報を生成する（Ｓ１２１０）。更に、コンテンツ管理情報抽出編集制御処理部２０７は、ステップＳ１２１０で生成された録画コンテンツリスト情報を、管理リスト表示処理部２０５によってディスプレイへ表示させる（Ｓ１２１１）。次に、ユーザが、リモコン１１２による操作によってビデオ記録再生装置１００に対し、コンテンツ管理操作メニューの中で、複製をしようとする所望のコンテンツを管理リスト表示処理部２０５によってディスプレイへ表示された録画コンテンツリスト情報（項目やサムネイル表示等の一覧）から選択を行う（Ｓ１２１２）。所定のコンテンツに対して複製の指示が行われると、コンテンツ管理情報抽出編集制御処理部２０７は、複製（移動）処理部２１１へ、当該コンテンツの複製の指示を行う。複製（移動）処理部２１１は、コンテンツ管理情報抽出編集制御処理部２０７からの複製指示を受けて、複製元であるＨＤＤ１０１から、複製先となるディスクドライブ１０２を介して他のメディアへの、当該コンテンツの複製処理を行う（Ｓ１２１３）。更に、複製処理を完了すると、複製（移動）処理部２１１は、複製先へ複製したコンテンツに関するコンテンツ識別情報の生成を行う（Ｓ１２１４）。最後に、複製（移動）処理部２１１は、複製先となるディスクドライブ１０２を介して他のメディアに対しても、当該コンテンツに対するコンテンツ属性情報として、コンテンツ識別情報と、当該コンテンツの所有者としてゲストユーザＩＤを記録して（Ｓ１２１５）、複製処理を終了する。
【００６６】
次に、複製処理が許可されたコンテンツを、ディスクドライブ１０２を介して他のメディアからＨＤＤ１０１へ複製処理する場合を説明する。ユーザが、リモコン１１２による操作によってビデオ記録再生装置１００に対し、コンテンツ管理操作メニューへの遷移を指示すると、コンテンツ管理情報抽出編集制御処理部２０７は、ユーザからの、ディスクドライブ１０２を介して他のメディアからＨＤＤ１０１へのコンテンツ複製指示を受けた後に、コンテンツ複製の処理を開始する。図１３に、この場合の複製処理のフローチャートを示す。
【００６７】
まず、管理リスト情報読出し書込み処理部２０２は、外部メモリ１１５が挿入され、管理リスト情報が記録されているかどうかを判断する（Ｓ１３０１）。外部メモリ１１５の挿入が無い場合、あるいは管理リスト情報の記録が無い場合は、ステップＳ１３１０へ移る。管理リスト情報の記録が確認できたら管理リスト情報の読出しを行い、記録されているユーザＩＤを抽出して、ユーザＩＤ記録部２０４に記録保存されているユーザＩＤとの照合を行う（Ｓ１３０２）。なお、ここで照合に失敗した場合は、複製処理を中止するか、後述するゲストＩＤとしての複製処理（Ｓ１３１０）に移ってもよい。ユーザＩＤの照合に成功した場合、コンテンツ管理情報抽出編集制御処理部２０７は、複製元のコンテンツ群の内から複製を禁止されていないものを抽出して録画コンテンツリスト情報を生成する（Ｓ１３０３）。コンテンツ管理情報抽出編集制御処理部２０７は、ステップＳ１３０３で生成された録画コンテンツリスト情報を、管理リスト表示処理部２０５によってディスプレイへ表示させる（Ｓ１３０４）。次に、ユーザが、リモコン１１２による操作によってビデオ記録再生装置１００に対し、コンテンツ管理操作メニューの中で、複製をしようとする所望のコンテンツを管理リスト表示処理部２０５によってディスプレイへ表示された録画コンテンツリスト情報（項目やサムネイル表示等の一覧）から選択を行う（Ｓ１３０５）。所定のコンテンツに対して複製の指示が行われると、コンテンツ管理情報抽出編集制御処理部２０７は、複製（移動）処理部２１１へ、当該コンテンツの複製の指示を行う。複製（移動）処理部２１１は、コンテンツ管理情報抽出編集制御処理部２０７からの複製指示を受けて、複製元であるディスクドライブ１０２を介しての他のメディアから複製先となるＨＤＤ１０１への、当該コンテンツの複製処理を行う（Ｓ１３０６）。更に、複製処理を完了すると、複製（移動）処理部２１１は、複製先へ複製したコンテンツに関するコンテンツ識別情報の生成を行う（Ｓ１３０７）。次に、ステップＳ１３０２で外部メモリ１１５から読み出した管理リスト情報へ、複製された当該コンテンツのコンテンツ識別情報を記録する（Ｓ１３０８）。なお、このとき、当該コンテンツ識別情報に、どの機器（あるいはメディア）から複製してきたか等の情報も含めて、複製履歴等も記録する。最後に、複製（移動）処理部２１１は、複製先となるＨＤＤ１０１に対しても、当該コンテンツに対するコンテンツ属性情報として、コンテンツ識別情報と、当該コンテンツの所有者としてステップＳ１３０２で照合されたユーザＩＤを記録して（Ｓ１３０９）、複製処理を終了する。
【００６８】
一方で、ステップＳ１３０１において、外部メモリ１１５の挿入が無い場合、あるいは管理リスト情報の記録が無い場合は、コンテンツ管理情報抽出編集制御処理部２０７は、ゲストユーザ扱いとしてゲストユーザＩＤを用いることになり、コンテンツ管理情報抽出編集制御処理部２０７は、複製元のコンテンツ群の内から複製を禁止されていないものを抽出して録画コンテンツリスト情報を生成する（Ｓ１３１０）。更に、コンテンツ管理情報抽出編集制御処理部２０７は、ステップＳ１３１０で生成された録画コンテンツリスト情報を、管理リスト表示処理部２０５によってディスプレイへ表示させる（Ｓ１３１１）。次に、ユーザが、リモコン１１２による操作によってビデオ記録再生装置１００に対し、コンテンツ管理操作メニューの中で、複製をしようとする所望のコンテンツを管理リスト表示処理部２０５によってディスプレイへ表示された録画コンテンツリスト情報（項目やサムネイル表示等の一覧）から選択を行う（Ｓ１３１２）。所定のコンテンツに対して複製の指示が行われると、コンテンツ管理情報抽出編集制御処理部２０７は、複製（移動）処理部２１１へ、当該コンテンツの複製の指示を行う。複製（移動）処理部２１１は、コンテンツ管理情報抽出編集制御処理部２０７からの複製指示を受けて、複製元であるディスクドライブ１０２を介しての他のメディアから複製先となるＨＤＤ１０１への、当該コンテンツの複製処理を行う（Ｓ１３１３）。更に、複製処理を完了すると、複製（移動）処理部２１１は、複製先へ複製したコンテンツに関するコンテンツ識別情報の生成を行う（Ｓ１３１４）。最後に、複製（移動）処理部２１１は、複製先となるＨＤＤ１０１に対しても、当該コンテンツに対するコンテンツ属性情報として、コンテンツ識別情報と、当該コンテンツの所有者としてゲストユーザＩＤを記録して（Ｓ１３１５）、複製処理を終了する。
【００６９】
次に、複製処理が許可されていないコンテンツを、ＨＤＤ１０１からディスクドライブ１０２を介して他のメディアへ移動処理する場合を説明する。ユーザが、リモコン１１２による操作によってビデオ記録再生装置１００に対し、コンテンツ管理操作メニューへの遷移を指示すると、コンテンツ管理情報抽出編集制御処理部２０７は、ユーザからの、ＨＤＤ１０１からディスクドライブ１０２を介して他のメディアへのコンテンツ移動指示を受けた後に、コンテンツ移動の処理を開始する。図１４に、この場合の移動処理のフローチャートを示す。
【００７０】
まず、管理リスト情報読出し書込み処理部２０２は、外部メモリ１１５が挿入され、管理リスト情報が記録されているかどうかを判断する（Ｓ１４０１）。外部メモリ１１５の挿入が無い場合、あるいは管理リスト情報の記録が無い場合は、ステップＳ１４１１へ移る。管理リスト情報の記録が確認できたら管理リスト情報の読出しを行い、記録されているユーザＩＤを抽出して、ユーザＩＤ記録部２０４に記録保存されているユーザＩＤとの照合を行う（Ｓ１４０２）。なお、ここで照合に失敗した場合は、移動処理を中止するか、後述するゲストＩＤとしての移動処理（Ｓ１４１１）に移ってもよい。ユーザＩＤの照合に成功した場合、コンテンツ管理情報抽出編集制御処理部２０７は、ステップＳ１４０２で読み出された管理リスト情報から録画済みの各コンテンツ情報を検出し、その内から複製を禁止されており、移動のみ可能なコンテンツを抽出して録画コンテンツリスト情報を生成する（Ｓ１４０３）。更に、コンテンツ管理情報抽出編集制御処理部２０７は、ステップＳ１４０３で生成された録画コンテンツリスト情報を、管理リスト表示処理部２０５によってディスプレイへ表示させる（Ｓ１４０４）。次に、ユーザが、リモコン１１２による操作によってビデオ記録再生装置１００に対し、コンテンツ管理操作メニューの中で、移動をしようとする所望のコンテンツを管理リスト表示処理部２０５によってディスプレイへ表示された録画コンテンツリスト情報（項目やサムネイル表示等の一覧）から選択を行う（Ｓ１４０５）。所定のコンテンツに対して移動の指示が行われると、指定された当該コンテンツ属性情報に、ステップＳ１４０２で照合されたユーザＩＤ以外のさらなるユーザＩＤの記録がなされていないかを確認し（Ｓ１４０６）、まだ他のユーザＩＤの記録がなされている場合は、そのままコンテンツの移動処理を終了する。一方、ゲストユーザＩＤも含めて１つも他ユーザＩＤの記録がなくて、ステップＳ１４０２で照合されたユーザＩＤのみが当該コンテンツ属性情報に検出される場合は、複製（移動）処理部２１１は、コンテンツ管理情報抽出編集制御処理部２０７からの移動指示を受けて、移動元であるＨＤＤ１０１から、移動先となるディスクドライブ１０２を介して他のメディアへの、当該コンテンツの移動処理を行う（Ｓ１４０７）。なお、移動処理であるため、移動元にあった当該コンテンツは削除される。更に、移動処理を完了すると、複製（移動）処理部２１１は、移動先へ移動したコンテンツに関するコンテンツ識別情報の生成を行う（Ｓ１４０８）。次に、ステップＳ１４０２で外部メモリ１１５から読み出した管理リスト情報へ、移動された当該コンテンツのコンテンツ識別情報を記録する（Ｓ１４０９）。なお、このとき、当該コンテンツ識別情報に、どの機器から移動してきたか等の情報も含めて、移動履歴等も記録する。最後に、複製（移動）処理部２１１は、移動先となるディスクドライブ１０２を介して他のメディアに対しても、当該コンテンツに対するコンテンツ属性情報として、コンテンツ識別情報と、当該コンテンツの所有者としてステップＳ１４０２で照合されたユーザＩＤを記録して（Ｓ１４１０）、移動処理を終了する。
【００７１】
一方で、ステップＳ１４０１において、外部メモリ１１５の挿入が無い場合、あるいは管理リスト情報の記録が無い場合は、コンテンツ管理情報抽出編集制御処理部２０７は、ゲストユーザ扱いとしてゲストユーザＩＤを用い、ＨＤＤ１０１に録画記録済の各コンテンツの属性情報の中から、当該ゲストユーザＩＤの記録がされているコンテンツ識別情報を検出し、その内から複製を禁止されており、移動のみ可能なコンテンツを抽出して録画コンテンツリスト情報を生成する（Ｓ１４１１）。更に、コンテンツ管理情報抽出編集制御処理部２０７は、ステップＳ１４１１で生成された録画コンテンツリスト情報を、管理リスト表示処理部２０５によってディスプレイへ表示させる（Ｓ１４１２）。次に、ユーザが、リモコン１１２による操作によってビデオ記録再生装置１００に対し、コンテンツ管理操作メニューの中で、移動をしようとする所望のコンテンツを管理リスト表示処理部２０５によってディスプレイへ表示された録画コンテンツリスト情報（項目やサムネイル表示等の一覧）から選択を行う（Ｓ１４１３）。所定のコンテンツに対して移動の指示が行われると、指定された当該コンテンツ属性情報に、ゲストユーザＩＤ以外のさらなるユーザＩＤの記録がなされていないかを確認し（Ｓ１４１４）、まだ他のユーザＩＤの記録がなされている場合は、そのままコンテンツの移動処理を終了する。一方、ゲストユーザＩＤのみが当該コンテンツ属性情報に検出される場合は、複製（移動）処理部２１１は、コンテンツ管理情報抽出編集制御処理部２０７からの移動指示を受けて、移動元であるＨＤＤ１０１から、移動先となるディスクドライブ１０２を介して他のメディアへの、当該コンテンツの移動処理を行う（Ｓ１４１５）。なお、移動処理であるため、移動元にあった当該コンテンツは削除される。更に、移動処理を完了すると、複製（移動）処理部２１１は、移動先へ移動したコンテンツに関するコンテンツ識別情報の生成を行う（Ｓ１４１６）。最後に、複製（移動）処理部２１１は、移動先となるディスクドライブ１０２を介して他のメディアに対しても、当該コンテンツに対するコンテンツ属性情報として、コンテンツ識別情報と、当該コンテンツの所有者としてゲストユーザＩＤを記録して（Ｓ１４１７）、移動処理を終了する。
【００７２】
次に、複製処理が許可されていないコンテンツを、ディスクドライブ１０２を介して他のメディアからＨＤＤ１０１へ移動処理する場合を説明する。ユーザが、リモコン１１２による操作によってビデオ記録再生装置１００に対し、コンテンツ管理操作メニューへの遷移を指示すると、コンテンツ管理情報抽出編集制御処理部２０７は、ユーザからの、ディスクドライブ１０２を介して他のメディアからＨＤＤ１０１へのコンテンツ移動指示を受けた後に、コンテンツ移動の処理を開始する。図１５に、この場合の移動処理のフローチャートを示す。
【００７３】
まず、管理リスト情報読出し書込み処理部２０２は、外部メモリ１１５が挿入され、管理リスト情報が記録されているかどうかを判断する（Ｓ１５０１）。外部メモリ１１５の挿入が無い場合、あるいは管理リスト情報の記録が無い場合は、ステップＳ１５１０へ移る。管理リスト情報の記録が確認できたら管理リスト情報の読出しを行い、記録されているユーザＩＤを抽出して、ユーザＩＤ記録部２０４に記録保存されているユーザＩＤとの照合を行う（Ｓ１５０２）。なお、ここで照合に失敗した場合は、移動処理を中止するか、後述するゲストＩＤとしての移動処理（Ｓ１５１０）に移ってもよい。ユーザＩＤの照合に成功した場合、コンテンツ管理情報抽出編集制御処理部２０７は、ステップＳ１５０２で読み出された管理リスト情報から録画済みの各コンテンツ情報を検出し、その内から複製を禁止されており、移動のみ可能なコンテンツを抽出して録画コンテンツリスト情報を生成する（Ｓ１５０３）。更に、コンテンツ管理情報抽出編集制御処理部２０７は、ステップＳ１５０３で生成された録画コンテンツリスト情報を、管理リスト表示処理部２０５によってディスプレイへ表示させる（Ｓ１５０４）。次に、ユーザが、リモコン１１２による操作によってビデオ記録再生装置１００に対し、コンテンツ管理操作メニューの中で、移動をしようとする所望のコンテンツを管理リスト表示処理部２０５によってディスプレイへ表示された録画コンテンツリスト情報（項目やサムネイル表示等の一覧）から選択を行う（Ｓ１５０５）。所定のコンテンツに対して移動の指示が行われると、コンテンツ管理情報抽出編集制御処理部２０７は、複製（移動）処理部２１１へ、当該コンテンツの移動の指示を行う。複製（移動）処理部２１１は、コンテンツ管理情報抽出編集制御処理部２０７からの移動指示を受けて、移動元であるディスクドライブ１０２を介しての他のメディアから移動先となるＨＤＤ１０１への、当該コンテンツの移動処理を行う（Ｓ１５０６）。なお、移動処理であるため、移動元にあった当該コンテンツは削除される。更に、移動処理を完了すると、複製（移動）処理部２１１は、移動先へ移動したコンテンツに関するコンテンツ識別情報の生成を行う（Ｓ１５０７）。次に、ステップＳ１５０２で外部メモリ１１５から読み出した管理リスト情報へ、移動された当該コンテンツのコンテンツ識別情報を記録する（Ｓ１５０８）。なお、このとき、当該コンテンツ識別情報に、どの機器（あるいはメディア）から移動してきたか等の情報も含めて、移動履歴等も記録する。最後に、複製（移動）処理部２１１は、移動先となるＨＤＤ１０１に対しても、当該コンテンツに対するコンテンツ属性情報として、コンテンツ識別情報と、当該コンテンツの所有者としてステップＳ１５０２で照合されたユーザＩＤを記録して（Ｓ１５０９）、移動処理を終了する。
【００７４】
一方で、ステップＳ１５０１において、外部メモリ１１５の挿入が無い場合、あるいは管理リスト情報の記録が無い場合は、コンテンツ管理情報抽出編集制御処理部２０７は、ゲストユーザ扱いとしてゲストユーザＩＤを用いることになり、コンテンツ管理情報抽出編集制御処理部２０７は、移動元のコンテンツ群の内から複製を禁止されていないものを抽出して録画コンテンツリスト情報を生成する（Ｓ１５１０）。更に、コンテンツ管理情報抽出編集制御処理部２０７は、ステップＳ１５１０で生成された録画コンテンツリスト情報を、管理リスト表示処理部２０５によってディスプレイへ表示させる（Ｓ１５１１）。次に、ユーザが、リモコン１１２による操作によってビデオ記録再生装置１００に対し、コンテンツ管理操作メニューの中で、移動をしようとする所望のコンテンツを管理リスト表示処理部２０５によってディスプレイへ表示された録画コンテンツリスト情報（項目やサムネイル表示等の一覧）から選択を行う（Ｓ１５１２）。所定のコンテンツに対して移動の指示が行われると、コンテンツ管理情報抽出編集制御処理部２０７は、複製（移動）処理部２１１へ、当該コンテンツの移動の指示を行う。複製（移動）処理部２１１は、コンテンツ管理情報抽出編集制御処理部２０７からの移動指示を受けて、移動元であるディスクドライブ１０２を介しての他のメディアから移動先となるＨＤＤ１０１への、当該コンテンツの移動処理を行う（Ｓ１５１３）。なお、移動処理であるため、移動元にあった当該コンテンツは削除される。更に、移動処理を完了すると、複製（移動）処理部２１１は、移動先へ移動したコンテンツに関するコンテンツ識別情報の生成を行う（Ｓ１５１４）。最後に、複製（移動）処理部２１１は、移動先となるＨＤＤ１０１に対しても、当該コンテンツに対するコンテンツ属性情報として、コンテンツ識別情報と、当該コンテンツの所有者としてゲストユーザＩＤを記録して（Ｓ１５１５）、移動処理を終了する。
【００７５】
次に、コンテンツの編集処理について説明する。編集の処理ついても、対象のコンテンツによっては、複製を行っても構わないものと、複製を禁止するものとがあるため、特に複製を禁止するコンテンツの場合に、あるコンテンツを複数のユーザが管理所有する状態にあるとき等では、当該コンテンツが他のユーザによって編集処理が行われたりすると、まったく本意ではないコンテンツの内容に変えられてしまうことがあり得る。したがって、編集処理についても、複製が許可されたコンテンツの場合と禁止されたコンテンツの場合とで分けて、そのそれぞれの処理について説明する。
【００７６】
はじめに、複製処理が許可されたコンテンツに対して、編集処理をする場合を説明する。ユーザが、リモコン１１２による操作によってビデオ記録再生装置１００に対し、コンテンツ管理操作メニューへの遷移を指示すると、コンテンツ管理情報抽出編集制御処理部２０７は、ユーザからの、複製を許可されたコンテンツに対する編集指示を受けた後に、本コンテンツ編集の処理を開始する。図１６に、この場合の編集処理のフローチャートを示す。
【００７７】
まず、管理リスト情報読出し書込み処理部２０２は、外部メモリ１１５が挿入され、管理リスト情報が記録されているかどうかを判断する（Ｓ１６０１）。外部メモリ１１５の挿入が無い場合、あるいは管理リスト情報の記録が無い場合は、ステップＳ１６１０へ移る。管理リスト情報の記録が確認できたら管理リスト情報の読出しを行い、記録されているユーザＩＤを抽出して、ユーザＩＤ記録部２０４に記録保存されているユーザＩＤとの照合を行う（Ｓ１６０２）。なお、ここで照合に失敗した場合は、編集処理を中止するか、後述するゲストＩＤとしての編集処理（Ｓ１６１０）に移ってもよい。ユーザＩＤの照合に成功した場合、コンテンツ管理情報抽出編集制御処理部２０７は、ステップＳ１６０２で読み出された管理リスト情報から録画済みの各コンテンツ情報を検出し、その内から複製を禁止されていないものを抽出して録画コンテンツリスト情報を生成する（Ｓ１６０３）。更に、コンテンツ管理情報抽出編集制御処理部２０７は、ステップＳ１６０３で生成された録画コンテンツリスト情報を、管理リスト表示処理部２０５によってディスプレイへ表示させる（Ｓ１６０４）。次に、ユーザが、リモコン１１２による操作によってビデオ記録再生装置１００に対し、コンテンツ管理操作メニューの中で、編集をしようとする所望のコンテンツを管理リスト表示処理部２０５によってディスプレイへ表示された録画コンテンツリスト情報（項目やサムネイル表示等の一覧）から選択を行う（Ｓ１６０５）。所定のコンテンツに対して編集の指示が行われると、コンテンツ管理情報抽出編集制御処理部２０７は、編集処理部２１０へ、当該コンテンツの編集の指示を行う。編集処理部２１０は、コンテンツ管理情報抽出編集制御処理部２０７からの編集指示を受けて、編集対象であるＨＤＤ１０１に記録されている当該コンテンツに対する複製コンテンツを一時的に生成し、当該複製コンテンツに対して、ユーザの操作に従った所望の編集処理を行う（Ｓ１６０６）。なお、一時的に複製してから編集処理を行うため、オリジナルのコンテンツは編集処理の影響を受けない。更に、編集処理を完了すると、編集処理部２１０は、一時的に複製して編集したコンテンツに関するコンテンツ識別情報の生成を行う（Ｓ１６０７）。次に、ステップＳ１６０２で外部メモリ１１５から読み出した管理リスト情報へ、複製された当該コンテンツのコンテンツ識別情報を記録する（Ｓ１６０８）。なお、このとき、当該コンテンツ識別情報に、編集処理を行う前のコンテンツ識別情報等の情報も含めて、編集履歴等も記録する。最後に、編集処理部２１０は、編集済となる当該コンテンツが記録されるＨＤＤ１０１に対しても、当該コンテンツに対するコンテンツ属性情報として、コンテンツ識別情報と、当該コンテンツの所有者としてステップＳ１６０２で照合されたユーザＩＤを記録して（Ｓ１６０９）、編集処理を終了する。
【００７８】
一方で、ステップＳ１６０１において、外部メモリ１１５の挿入が無い場合、あるいは管理リスト情報の記録が無い場合は、コンテンツ管理情報抽出編集制御処理部２０７は、ゲストユーザ扱いとしてゲストユーザＩＤを用い、ＨＤＤ１０１に録画記録済の各コンテンツの属性情報の中から、当該ゲストユーザＩＤの記録がされているコンテンツ識別情報を検出し、その内から複製を禁止されていないものを抽出して録画コンテンツリスト情報を生成する（Ｓ１６１０）。更に、コンテンツ管理情報抽出編集制御処理部２０７は、ステップＳ１６１０で生成された録画コンテンツリスト情報を、管理リスト表示処理部２０５によってディスプレイへ表示させる（Ｓ１６１１）。次に、ユーザが、リモコン１１２による操作によってビデオ記録再生装置１００に対し、コンテンツ管理操作メニューの中で、編集をしようとする所望のコンテンツを管理リスト表示処理部２０５によってディスプレイへ表示された録画コンテンツリスト情報（項目やサムネイル表示等の一覧）から選択を行う（Ｓ１６１２）。所定のコンテンツに対して編集の指示が行われると、コンテンツ管理情報抽出編集制御処理部２０７は、編集処理部２１０へ、当該コンテンツの編集複製の指示を行う。編集処理部２１０は、コンテンツ管理情報抽出編集制御処理部２０７からの編集指示を受けて、編集対象であるＨＤＤ１０１に記録されている当該コンテンツに対する複製コンテンツを一時的に生成し、当該複製コンテンツに対して、ユーザの操作に従った所望の編集処理を行う（Ｓ１６１３）。なお、一時的に複製してから編集処理を行うため、オリジナルのコンテンツは編集処理の影響を受けない。更に、編集処理を完了すると、編集処理部２１０は、一時的に複製して編集したコンテンツに関するコンテンツ識別情報の生成を行う（Ｓ１６１４）。最後に、編集処理部２１０は、編集済となる当該コンテンツが記録されるＨＤＤ１０１に対しても、当該コンテンツに対するコンテンツ属性情報として、コンテンツ識別情報と、当該コンテンツの所有者としてゲストユーザＩＤを記録して（Ｓ１６１５）、編集処理を終了する。
【００７９】
次に、複製処理が許可されていないコンテンツに対して、編集処理をする場合を説明する。ユーザが、リモコン１１２による操作によってビデオ記録再生装置１００に対し、コンテンツ管理操作メニューへの遷移を指示すると、コンテンツ管理情報抽出編集制御処理部２０７は、ユーザからの、複製禁止のコンテンツに対する編集指示を受けた後に、本コンテンツ編集の処理を開始する。図１７に、この場合の移動処理のフローチャートを示す。
【００８０】
まず、管理リスト情報読出し書込み処理部２０２は、外部メモリ１１５が挿入され、管理リスト情報が記録されているかどうかを判断する（Ｓ１７０１）。外部メモリ１１５の挿入が無い場合、あるいは管理リスト情報の記録が無い場合は、ステップＳ１７１１へ移る。管理リスト情報の記録が確認できたら管理リスト情報の読出しを行い、記録されているユーザＩＤを抽出して、ユーザＩＤ記録部２０４に記録保存されているユーザＩＤとの照合を行う（Ｓ１７０２）。なお、ここで照合に失敗した場合は、編集処理を中止するか、後述するゲストＩＤとしての編集処理（Ｓ１７１１）に移ってもよい。ユーザＩＤの照合に成功した場合、コンテンツ管理情報抽出編集制御処理部２０７は、ステップＳ１７０２で読み出された管理リスト情報から録画済みの各コンテンツ情報を検出し、その内から複製を禁止されており、移動のみ可能なコンテンツを抽出して録画コンテンツリスト情報を生成する（Ｓ１７０３）。更に、コンテンツ管理情報抽出編集制御処理部２０７は、ステップＳ１７０３で生成された録画コンテンツリスト情報を、管理リスト表示処理部２０５によってディスプレイへ表示させる（Ｓ１７０４）。次に、ユーザが、リモコン１１２による操作によってビデオ記録再生装置１００に対し、コンテンツ管理操作メニューの中で、編集をしようとする所望のコンテンツを管理リスト表示処理部２０５によってディスプレイへ表示された録画コンテンツリスト情報（項目やサムネイル表示等の一覧）から選択を行う（Ｓ１７０５）。所定のコンテンツに対して編集の指示が行われると、指定された当該コンテンツ属性情報に、ステップＳ１７０２で照合されたユーザＩＤ以外のさらなるユーザＩＤの記録がなされていないかを確認し（Ｓ１７０６）、他のユーザＩＤの記録がなされている場合は、そのままコンテンツの編集処理を終了する。一方、ゲストユーザＩＤも含めて１つも他ユーザＩＤの記録がなくて、ステップＳ１７０２で照合されたユーザＩＤのみが当該コンテンツ属性情報に検出される場合は、編集処理部２１０は、コンテンツ管理情報抽出編集制御処理部２０７からの編集指示を受けて、編集対象であるＨＤＤ１０１に記録されている当該コンテンツに対する複製コンテンツを一時的に生成し、当該複製コンテンツに対して、ユーザの操作に従った所望の編集処理を行う（Ｓ１７０７）。また、編集処理を完了すると、編集処理部２１０は、複製が禁止されているコンテンツを対象としているために、編集前のオリジナルである当該コンテンツを削除する。更に、編集処理部２１０は、新たに編集して生成された当該コンテンツに関するコンテンツ識別情報の生成を行う（Ｓ１７０８）。次に、ステップＳ１７０２で外部メモリ１１５から読み出した管理リスト情報へ、編集生成された当該コンテンツのコンテンツ識別情報を記録する（Ｓ１７０９）。なお、このとき、当該コンテンツ識別情報に、どのコンテンツを元として編集がされたか等の情報も含めて、編集履歴等も記録する。最後に、編集処理部２１０は、編集生成された当該コンテンツが記録されるＨＤＤ１０１に対しても、当該コンテンツに対するコンテンツ属性情報として、コンテンツ識別情報と、当該コンテンツの所有者としてステップＳ１７０２で照合されたユーザＩＤを記録して（Ｓ１７１０）、編集処理を終了する。
【００８１】
一方で、ステップＳ１７０１において、外部メモリ１１５の挿入が無い場合、あるいは管理リスト情報の記録が無い場合は、コンテンツ管理情報抽出編集制御処理部２０７は、ゲストユーザ扱いとしてゲストユーザＩＤを用い、ＨＤＤ１０１に録画記録済の各コンテンツの属性情報の中から、当該ゲストユーザＩＤの記録がされているコンテンツ識別情報を検出し、その内から複製を禁止されており、移動のみ可能なコンテンツを抽出して録画コンテンツリスト情報を生成する（Ｓ１７１１）。更に、コンテンツ管理情報抽出編集制御処理部２０７は、ステップＳ１７１１で生成された録画コンテンツリスト情報を、管理リスト表示処理部２０５によってディスプレイへ表示させる（Ｓ１７１２）。次に、ユーザが、リモコン１１２による操作によってビデオ記録再生装置１００に対し、コンテンツ管理操作メニューの中で、編集をしようとする所望のコンテンツを管理リスト表示処理部２０５によってディスプレイへ表示された録画コンテンツリスト情報（項目やサムネイル表示等の一覧）から選択を行う（Ｓ１７１３）。所定のコンテンツに対して編集の指示が行われると、指定された当該コンテンツ属性情報に、ゲストユーザＩＤ以外のさらなるユーザＩＤの記録がなされていないかを確認し（Ｓ１７１４）、まだ他のユーザＩＤの記録がなされている場合は、そのままコンテンツの移動処理を終了する。一方、ゲストユーザＩＤのみが当該コンテンツ属性情報に検出される場合は、編集処理部２１０は、コンテンツ管理情報抽出編集制御処理部２０７からの編集指示を受けて、編集対象であるＨＤＤ１０１に記録されている当該コンテンツに対する複製コンテンツを一時的に生成し、当該複製コンテンツに対して、ユーザの操作に従った所望の編集処理を行う（Ｓ１７１５）。また、編集処理を完了すると、編集処理部２１０は、複製が禁止されているコンテンツを対象としているために、編集前のオリジナルである当該コンテンツを削除する。更に、編集処理部２１０は、新たに編集して生成された当該コンテンツに関するコンテンツ識別情報の生成を行う（Ｓ１７１６）。最後に、編集処理部２１０は、編集生成された当該コンテンツが記録されるＨＤＤ１０１に対しても、当該コンテンツに対するコンテンツ属性情報として、コンテンツ識別情報と、当該コンテンツの所有者としてステップＳ１７０２で照合されたゲストユーザＩＤを記録して（Ｓ１７１７）、編集処理を終了する。
【００８２】
なお、上記外部メモリ１１５に記録する情報としては、管理リスト情報として登録ユーザＩＤと、登録ユーザＩＤが管理所有権を持つ各コンテンツ識別情報と、コンテンツに対する操作履歴情報とを含むことで説明したが、ビデオ記録再生装置１００の内部で登録ユーザＩＤとそれに対応する管理リスト情報とを全て記録保持するようにして、外部メモリ１１５には登録ユーザＩＤだけを記録保存するようにしても構わない。
【００８３】
次に、ＳＤメモリカード等のリムーバブルメディアである上記外部メモリ１１５の貸し出しを想定した本発明の第２の実施の形態について説明する。なお、第１の実施の形態と同様の構成及び機能を有する部分については、図１及び図２と同じ符号を付与してその説明を省略し、以下では主に異なる部分について説明をする。
【００８４】
図１８は、図２に示す本発明の第１の実施の形態におけるソフツウェア構成に対して更に、各ユーザごとに設定され、当該ユーザが所有するコンテンツに対しての固有管理（公開、隠蔽、操作プロテクト等）を行うために必要とする認証用のコード（暗証番号、あるいはパスワード）を発行、あるいは管理記憶する暗証番号管理部１８０２と、各ユーザが所有するコンテンツに対しての固有管理の設定を行う処理に入るための認証用コードを入力する暗証番号入力処理部１８０１と、各ユーザが、それぞれ所有するコンテンツに対して公開、隠蔽、操作プロテクト等の管理設定条件の設定を行う公開操作許可処理部１８０３とを加えたものである。これらの処理を図１に示すビデオ記録再生装置１００で実現するには、ＲＯＭ１０９に記録されたプログラムをＭＰＵ１１１によって実行することで実現でき、この場合、プログラムを実行するＭＰＵ１１１は、図２の場合に加えて、暗証番号入力処理部１８０１、及び公開操作許可処理部１８０３として機能する。また、暗証番号管理部１８０２は、ＲＯＭ１０９又はＲＡＭ１１０を用いて実現される。
【００８５】
ここでは、ユーザ認証用のコードとして暗証番号を用いることとし、コンテンツの視聴制限及び操作制限の設定処理について説明する。ユーザが、リモコン１１２による操作によってビデオ記録再生装置１００に対し、コンテンツ管理操作メニューへの遷移を指示すると、コンテンツ管理情報抽出編集制御処理部２０７は、ユーザからの、視聴制限及び操作制限の設定の指示を受けた後に、本設定処理を開始する。図１９に、視聴制限及び操作制限の設定処理のフローチャートを示す。
【００８６】
まず、管理リスト情報読出し書込み処理部２０２は、外部メモリ１１５が挿入され、管理リスト情報が記録されているかどうかを判断する（Ｓ１９０１）。外部メモリ１１５の挿入が無い場合、あるいは管理リスト情報の記録が無い場合は、視聴制限及び操作制限の設定を終了する。管理リスト情報の記録が確認できたら管理リスト情報の読出しを行い、記録されているユーザＩＤを抽出して、ユーザＩＤ記録部２０４に記録保存されているユーザＩＤとの照合を行う（Ｓ１９０２）。なお、ここで照合に失敗した場合も、視聴制限及び操作制限の設定を終了する。ユーザＩＤの照合に成功した場合、暗証番号入力処理部１８０１は、管理リスト表示処理部２０５等により、ユーザに対して、当該ユーザがコンテンツに対しての固有管理（公開、隠蔽、操作プロテクト等）の設定を行うために必要とする暗証番号の入力の要求を行う（Ｓ１９０３）。暗証番号管理部１８０２は、ステップＳ１９０３にてユーザが入力した暗証番号が、暗証番号管理部１８０２が記録している当該ユーザＩＤに適合した暗証番号に一致するかどうかを確認する（Ｓ１９０４）。ステップＳ１９０４で暗証番号の認証処理に失敗した場合も、視聴制限及び操作制限の設定を終了する。認証用コード（暗証番号、あるいはパスワード）の確認に成功できたら、コンテンツ管理情報抽出編集制御処理部２０７は、ステップＳ１９０２で読み出された管理リスト情報から、記録されている全ての録画済みの各コンテンツ情報を検出し、加えて、当該管理リスト情報に予約情報として記録されている録画予約情報についても検出をして、両方を合わせた形で録画コンテンツリスト情報を生成する（Ｓ１９０５）。更に、コンテンツ管理情報抽出編集制御処理部２０７は、ステップＳ１９０５で生成された録画コンテンツリスト情報を、管理リスト表示処理部２０５によってディスプレイへ表示させる（Ｓ１９０６）。次に、ユーザが、リモコン１１２による操作によってビデオ記録再生装置１００に対し、コンテンツ管理操作メニューの中で、視聴制限及び操作制限の設定をしようとする所望のコンテンツを管理リスト表示処理部２０５によってディスプレイへ表示された録画コンテンツリスト情報（項目やサムネイル表示等の一覧）から選択を行う（Ｓ１９０７）。公開操作許可処理部１８０３は、ステップＳ１９０７で選択された当該コンテンツに対しての、第三者への視聴制限設定や、第三者による不本意なコンテンツの操作からの保護の設定や変更を、ユーザからの指示に従って行う（Ｓ１９０８）。なお、この設定処理は、ユーザのリモコン１１２による操作によってのビデオ記録再生装置１００に対する設定操作の終了の指示がない限り継続され、更に他のコンテンツに対する設定や変更処理が可能である（Ｓ１９０９）。
【００８７】
次に、ステップＳ１９０８における、公開操作許可処理の設定内容について説明する。本発明の第１の実施の形態によって、各ユーザが所有するコンテンツは、外部メモリ１１５に記録されている管理リスト情報を必要とすることによって、第三者への公開や、第三者による不本意な操作から保護されているので、そのシステムの中において、あるユーザが所有する管理リスト情報が記録された外部メモリ１１５を第三者へ貸し出す等して、当該ユーザが所有するコンテンツの視聴を第三者へ促すような場合に、そのままでは全てのコンテンツが一覧で閲覧されてしまうので、公開操作許可処理は、その中でも第三者への視聴をさせたくないコンテンツに対し、識別子の付与を行う。同様に、公開操作許可処理は、第三者によるコンテンツの操作（削除、編集、移動等）をさせたくないコンテンツに対し、識別子の付与も行う。例えば、該当のコンテンツのコンテンツ識別情報に、視聴制限と操作制限の専用の情報領域を設けて、フラグ「１」を設定して視聴を許可、また操作を許可する等である。
【００８８】
ステップＳ１９０９において、ユーザのリモコン１１２による操作によってビデオ記録再生装置１００に対する設定操作の終了の指示があると、公開操作許可処理部１８０３は、ステップＳ１９０２で外部メモリ１１５から読み出した管理リスト情報へ、ステップＳ１９０８で設定された視聴制限及び操作制限の設定や変更情報を、当該コンテンツのコンテンツ識別情報に対して記録を行い（Ｓ１９１０）、視聴制限及び操作制限の設定処理を終了する。なお、ステップＳ１９０５において、ゲストユーザＩＤが所有するコンテンツ情報についてもＨＤＤ１０１から検出をし、当該ユーザが、ゲストユーザＩＤが所有するコンテンツの中からゲストユーザと共有したいコンテンツがあれば、ステップＳ１９０７、及びステップＳ１９０８において、該当コンテンツに対し、ゲストユーザとの共有情報としての識別子の付与処理を加えても構わない。これによって、ユーザは、一般公開の扱いとされるゲストユーザ所有のコンテンツに対しても、共有させることが可能となる。
【００８９】
なお、外部メモリ１１５に記録する情報としては、管理リスト情報として登録ユーザＩＤと、登録ユーザＩＤが管理所有権を持つ各コンテンツ識別情報と、コンテンツに対する操作履歴情報、視聴制限情報、操作制限情報とを含むことで説明したが、ビデオ記録再生装置１００の内部で登録ユーザＩＤとそれに対応する管理リスト情報とを全て記録保持するようにして、外部メモリ１１５には、登録ユーザＩＤと、該当コンテンツごとへの視聴制限及び操作制限の設定や変更情報だけを記録保存するようにしても構わない。
【００９０】
上記第１及び第２の実施の形態のビデオ記録再生装置１００によれば、外部メモリ１１５に管理リスト情報として記録された、各コンテンツ識別情報と、各コンテンツに対する操作履歴情報を利用することによって、万が一、削除してしまったコンテンツをもう一度入手したいような状況等が発生した際に、例えばインターネットに接続可能な端末から、所望のコンテンツを保管し提供しているコンテンツサーバへの検索とアクセスを行い、目的のコンテンツをもう一度、獲得することができる。
【００９１】
また、第１及び第２の実施の形態のビデオ記録再生装置１００によれば、外部メモリ１１５に記録する管理リスト情報を例えばテキスト形式で記録すれば、当該ビデオ記録再生装置１００に限らず、パソコンからでもその情報の編集作業が可能となる。また、例えばＨＴＭＬ形式で記録すれば、ブラウザアプリケーションを搭載した端末があれば、当該端末からの閲覧や情報の操作も可能となる。
【００９２】
また、第１及び第２の実施の形態のビデオ記録再生装置１００によれば、各ユーザが所望のコンテンツを検索する際に、当該ビデオ記録再生装置１００に記録されている全てのコンテンツを対象としてではなく、ユーザが所有する外部メモリ１１５に記録されている管理リスト情報の中だけでの検索に限られるので、各ユーザは検索にかける労力を必要最小限にすることができる。
【００９３】
なお、上述の第１及び第２の実施の形態においては、外部メモリ１１５としてＳＤメモリカードにより説明したが、ＳＤメモリカード、コンパクトフラッシュ、スマートメディア等のフラッシュメモリメディアに限らず、ＵＳＢメモリや光ディスク、磁気ディスク、光磁気ディスク等のリムーバブルメディアを代用することでも構わない。また、ＩＣカードや、携帯端末等非接触インターフェイスを持つ端末を用いても構わない。
【００９４】
また、ＡＶ入力部１０５及びＴＶチューナ１０６については、アナログのインターフェイス及びアナログＴＶチューナに限らず、デジタルのインターフェイス及びデジタルＴＶチューナでも構わない。
【００９５】
また、上述の第１及び第２の実施の形態においては、映像、音声コンテンツを扱うものとして、ビデオ記録再生装置１００により説明したが、ＤＶＤレコーダ、ＨＤＤレコーダ、ホームサーバ、音楽サーバ、画像サーバ、文書や書物データサーバ等であっても構わない。
【産業上の利用可能性】
【００９６】
以上説明してきたとおり、本発明に係るコンテンツ記録再生装置は、特にコンテンツの暗号化や、暗証番号等を用いてのログイン等の手続きを行うことなく、他のユーザによって録画コンテンツが再生、消去、編集等がなされるという問題が無くなり、他ユーザからのプライバシー侵害等からも守られ、また複数のユーザが重複して関心を持つコンテンツに対しての消去や保存の管理が効率的に実現可能となるので、デジタルＴＶ放送の番組を大容量記録媒体に記録するビデオ記録再生装置等として有用である。
【図面の簡単な説明】
【００９７】
【図１】本発明に係るビデオ記録再生装置のハードウェア構成例を示すブロック図である。
【図２】本発明の第１の実施の形態における機能ブロック図である。
【図３】ユーザＩＤ登録及び管理リスト情報生成処理のフローチャートである。
【図４】録画処理のフローチャートである。
【図５】録画予約設定処理のフローチャート１である。
【図６】録画予約設定処理のフローチャート２である。
【図７】予約した録画の実行処理のフローチャートである。
【図８】予約録画したコンテンツの管理リストへの記録処理のフローチャートである。
【図９】コンテンツのリスト表示処理のフローチャートである。
【図１０】再生処理のフローチャートである。
【図１１】コンテンツの削除処理のフローチャートである。
【図１２】複製可能の場合のＨＤＤからの複製処理のフローチャートである。
【図１３】複製可能の場合の他媒体からの複製処理のフローチャートである。
【図１４】複製不可の場合のＨＤＤからの移動処理のフローチャートである。
【図１５】複製不可の場合の他媒体からの移動処理のフローチャートである。
【図１６】複製可能の場合の編集（複製）処理のフローチャートである。
【図１７】複製不可の場合の編集（移動）処理のフローチャートである。
【図１８】本発明の第２の実施の形態における機能ブロック図である。
【図１９】視聴制限及び操作制限の設定処理のフローチャートである。
【符号の説明】
【００９８】
１００  ビデオ記録再生装置
１０１  ＨＤＤ
１０２  ディスクドライブ
１０３  データプロセッサ
１０４  エンコーダ部
１０５  ＡＶ入力部
１０６  ＴＶチューナ
１０７  デコーダ部
１０８  ＡＶ出力部
１０９  ＲＯＭ
１１０  ＲＡＭ
１１１  ＭＰＵ
１１２  リモコン
１１３  ユーザ操作入力部
１１４  外部メモリドライブ
１１５  外部メモリ（リムーバブルメディア）
２００  ユーザＩＤ認証登録処理部
２０１  管理リスト情報生成処理部
２０２  管理リスト情報読出し書込み処理部
２０３  コンテンツ管理処理部
２０４  ユーザＩＤ記録部
２０５  管理リスト表示処理部
２０６  ユーザ操作入力処理部
２０７  コンテンツ管理情報抽出編集制御処理部
２０８  再生処理部
２０９  削除処理部
２１０  編集処理部
２１１  複製（移動）処理部
２１２  録画処理部
２１３  管理リスト有無判断処理部
２１４  録画予約実行処理部
２１５  録画予約情報記録部
２１６  録画予約設定処理部
１８０１  暗証番号入力処理部
１８０２  暗証番号管理部
１８０３  公開操作許可処理部
【図１】
2008306531.tif 000003
【図２】
2008306531.tif 000004
【図３】
2008306531.tif 000005
【図４】
2008306531.tif 000006
【図５】
2008306531.tif 000007
【図６】
2008306531.tif 000008
【図７】
2008306531.tif 000009
【図８】
2008306531.tif 000010
【図９】
2008306531.tif 000011
【図１０】
2008306531.tif 000012
【図１１】
2008306531.tif 000013
【図１２】
2008306531.tif 000014
【図１３】
2008306531.tif 000015
【図１４】
2008306531.tif 000016
【図１５】
2008306531.tif 000017
【図１６】
2008306531.tif 000018
【図１７】
2008306531.tif 000019
【図１８】
2008306531.tif 000020
【図１９】
2008306531.tif 000021